(57)【要約】  中央処理装置の看介護記録処理部は、看介護記録を入力する際に第１カテゴリ情報及び第２カテゴリ情報のうち優先するカテゴリ情報を表す優先カテゴリ情報が第１カテゴリ情報を表す場合は、第１階層として、第１カテゴリ情報を端末装置に送信し、端末装置から送信された、第１カテゴリ情報により表される複数の第１入力項目から選択された選択第１入力項目を通信部で受信すると、第２階層として、第２カテゴリ情報を端末装置に送信する。看介護記録処理部は、優先カテゴリ情報が第２カテゴリ情報を表す場合は、第１階層として、第２カテゴリ情報を端末装置に送信し、端末装置から送信された、第２カテゴリ情報により表される複数の第２入力項目から選択された選択第２入力項目を通信部で受信すると、第２階層として、第１カテゴリ情報を端末装置に送信する。
2018037974.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
通信を行う通信部と、
前記被監視者に対して行われる看護および介護のうちの少なくとも一方を含む看介護の内容を看介護記録として記憶する看介護記録情報記憶部と、
前記看介護記録を入力するための、第１カテゴリに関する複数の第１入力項目を表す第１カテゴリ情報と、前記看介護記録を入力するための、第２カテゴリに関する複数の第２入力項目を表す第２カテゴリ情報と、を記憶するカテゴリ情報記憶部と、
前記端末装置から送信された、前記看介護記録を入力する際に前記第１カテゴリ情報及び前記第２カテゴリ情報のうち優先するカテゴリ情報を表す優先カテゴリ情報を前記通信部で受信すると、前記第１カテゴリ情報及び前記第２カテゴリ情報のうち前記優先カテゴリ情報により表されるカテゴリ情報を前記通信部により前記端末装置に送信する看介護記録処理部と、
を備え、
前記看介護記録処理部は、
前記優先カテゴリ情報が前記第１カテゴリ情報を表す場合は、第１階層として、前記第１カテゴリ情報を前記端末装置に送信し、前記端末装置から送信された、前記第１カテゴリ情報により表される前記複数の第１入力項目から選択された選択第１入力項目を前記通信部で受信すると、第２階層として、前記第２カテゴリ情報を前記端末装置に送信し、
前記優先カテゴリ情報が前記第２カテゴリ情報を表す場合は、第１階層として、前記第２カテゴリ情報を前記端末装置に送信し、前記端末装置から送信された、前記第２カテゴリ情報により表される前記複数の第２入力項目から選択された選択第２入力項目を前記通信部で受信すると、第２階層として、前記第１カテゴリ情報を前記端末装置に送信する、
中央処理装置。
【請求項２】
前記看介護記録処理部は、
前記第２階層として、前記第２カテゴリ情報を前記端末装置に送信した場合に、前記端末装置から送信された、前記第２カテゴリ情報により表される前記複数の第２入力項目から選択された選択第２入力項目を前記通信部で受信すると、再び、前記第２カテゴリ情報を前記端末装置に送信し、
前記第２階層として、前記第１カテゴリ情報を前記端末装置に送信した場合に、前記端末装置から送信された、前記第１カテゴリ情報により表される前記複数の第１入力項目から選択された選択第１入力項目を前記通信部で受信すると、再び、前記第１カテゴリ情報を前記端末装置に送信する、
請求項１に記載の中央処理装置。
【請求項３】
前記カテゴリ情報記憶部は、
前記第１カテゴリに関する複数の第１入力項目を表す第１カテゴリ情報として、前記看介護に関する複数の看介護の種類を表す看介護種類情報を記憶し、
前記第２カテゴリに関する複数の第２入力項目を表す第２カテゴリ情報として、前記被監視者に関する複数の被監視者の名前を表す被監視者情報を記憶する、
請求項１又は２に記載の中央処理装置。
【請求項４】
前記看介護記録処理部は、前記優先するカテゴリ情報を選択するための、前記看介護種類情報と前記被監視者情報との選択肢を表す選択肢情報を、前記優先カテゴリ情報を前記通信部で受信する前に、前記通信部により前記端末装置に送信する、
請求項３に記載の中央処理装置。
【請求項５】
前記選択肢情報は、前記看介護種類情報を含む、
請求項４に記載の中央処理装置。
【請求項６】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置に用いられる中央処理方法であって、
前記中央処理装置は、
通信を行う通信部と、
前記被監視者に対して行われる看護および介護のうちの少なくとも一方を含む看介護の内容を看介護記録として記憶する看介護記録情報記憶部と、
前記看介護記録を入力するための、第１カテゴリに関する複数の第１入力項目を表す第１カテゴリ情報と、前記看介護記録を入力するための、第２カテゴリに関する複数の第２入力項目を表す第２カテゴリ情報と、を記憶するカテゴリ情報記憶部と、
を備え、
前記中央処理方法は、
前記端末装置から送信された、前記看介護記録を入力する際に前記第１カテゴリ情報及び前記第２カテゴリ情報のうち優先するカテゴリ情報を表す優先カテゴリ情報を前記通信部で受信すると、前記第１カテゴリ情報及び前記第２カテゴリ情報のうち前記優先カテゴリ情報により表されるカテゴリ情報を前記通信部により前記端末装置に送信する看介護記録処理工程を備え、
前記看介護記録処理工程は、
前記優先カテゴリ情報が前記第１カテゴリ情報を表す場合は、第１階層として、前記第１カテゴリ情報を前記端末装置に送信する第１送信工程と、前記端末装置から送信された、前記第１カテゴリ情報により表される前記複数の第１入力項目から選択された選択第１入力項目を前記通信部で受信すると、第２階層として、前記第２カテゴリ情報を前記端末装置に送信する第２送信工程と、を含み、
前記優先カテゴリ情報が前記第２カテゴリ情報を表す場合は、第１階層として、前記第２カテゴリ情報を前記端末装置に送信する第３送信工程と、前記端末装置から送信された、前記第２カテゴリ情報により表される前記複数の第２入力項目から選択された選択第２入力項目を前記通信部で受信すると、第２階層として、前記第１カテゴリ情報を前記端末装置に送信する第４送信工程と、を含む、
中央処理方法。
【請求項７】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１〜５のいずれか１項に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。そして、２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。そして、これらの結果を、看護師や介護士等は、看護記録や介護記録（看介護記録）として記録する。【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。【０００６】
このような技術の一つとして、例えば特許文献１にナースコールシステムが提案されている。この特許文献１に開示されたナースコールシステムでは、被看護人は、被看護人識別ＩＤを記憶した無線タグを備えるリストバンドを装着しており、電子カルテに記録を行う場合、医療・看護従事者は、まず、その携帯する携帯情報端末を前記被看護人の前記リストバンドに近づけることによって前記リストバンドから被看護人識別ＩＤを読み出し、次に、前記携帯情報端末に表示された処置内容の候補のリストから処置内容を選択する。これによって医療・看護従事者識別ＩＤ、処置内容および被看護人識別ＩＤが、前記携帯情報端末から制御機へ送信され、制御機の制御機記憶部に内蔵されている電子カルテに、前記医療・看護従事者識別ＩＤの医療・看護従事者が前記被看護人識別ＩＤを有する被看護人に前記処置内容に記された処置を行なったことが、データ受信時刻とともに記録される（例えば特許文献１の［０１５７］段落ないし［０１６６］段落参照）。
【先行技術文献】
【特許文献】
【０００７】
【特許文献１】特開２０１４−８７５２４号公報
【発明の概要】
【０００８】
ところで、要看介護者に対する看介護を行った結果の看介護の内容を記録する場合、看介護者は、看介護の作業を行いつつ、並行して看介護の内容を記録する作業を行うことが一般的である。このため、看介護の記録作業の効率向上が求められる。しかしながら、上記特許文献１では、看介護の記録作業の効率向上については十分に検討されていない。
【０００９】
本発明は、上述の事情に鑑みて為されたものであり、看介護の記録作業の効率を向上することができる被監視者監視システムの中央処理装置および中央処理方法ならびに被監視者監視システムを提供することを目的とする。
【００１０】
上述した目的を実現するために、本発明の一側面を反映した被監視者監視システムの中央処理装置は、看介護記録処理部を備え、
前記看介護記録処理部は、
第１カテゴリ情報及び第２カテゴリ情報のうち優先するカテゴリ情報を表す優先カテゴリ情報が前記第１カテゴリ情報を表す場合は、第１階層として、前記第１カテゴリ情報を前記端末装置に送信し、前記端末装置から送信された、前記第１カテゴリ情報により表される複数の第１入力項目から選択された選択第１入力項目を通信部で受信すると、第２階層として、前記第２カテゴリ情報を前記端末装置に送信し、
前記優先カテゴリ情報が前記第２カテゴリ情報を表す場合は、第１階層として、前記第２カテゴリ情報を前記端末装置に送信し、前記端末装置から送信された、前記第２カテゴリ情報により表される複数の第２入力項目から選択された選択第２入力項目を前記通信部で受信すると、第２階層として、前記第１カテゴリ情報を前記端末装置に送信するものである。
【００１１】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１２】
【図１】実施形態における被監視者監視システムの構成を示す図である。
【図２】被監視者監視システムにおける管理サーバ装置の構成を示す図である。
【図３】サーバ側監視情報テーブルの構成を示す図である。
【図４】装置間情報テーブルの構成を示す図である。
【図５】サーバ側センサ情報テーブルの構成を示す図である。
【図６】食事ケア用記録書式画面の一例を示す図である。
【図７】モーニングケア用記録書式画面の一例を示す図である。
【図８】排泄ケア用記録書式画面の一例を示す図である。
【図９】有無入力画面の一例を示す図である。
【図１０】被監視者監視システムにおける携帯端末装置の構成を示す図である。
【図１１】携帯端末装置における看介護記録動作の一例を概略的に示すフローチャートである。
【図１２】携帯端末装置における看介護記録動作の一例を概略的に示すフローチャートである。
【図１３】携帯端末装置と管理サーバ装置とにおける看介護記録動作の一例を概略的に示すシーケンス図である。
【図１４】待受け画面の一例を示す図である。
【図１５】サブメニュー画面の一例を示す図である。
【図１６】第１階層の対象者選択画面の一例を示す図である。
【図１７】第２階層の書式選択画面の一例を示す図である。
【図１８】水分補給ケア用の記録書式画面の一例を示す図である。
【図１９】服薬ケア用の記録書式画面の一例を示す図である。
【図２０】第１階層の書式選択画面の一例を示す図である。
【図２１】第２階層の対象者選択画面の一例を示す図である。
【図２２】食事量選択画面の一例を示す図である。
【図２３】テキスト入力画面の一例を示す図である。
【図２４】数値入力画面の一例を示す図である。
【図２５】図６と異なる対象者の食事ケア用記録書式画面の一例を示す図である。
【図２６】図１５と異なるサブメニュー画面の一例を示す図である。
【発明を実施するための形態】
【００１３】
（本発明の基礎となった知見）
まず、本発明の基礎となった知見が説明される。要看介護者に対する看介護を実行した結果を表す看介護の内容を記録する手法として、例えば、看介護の種類に応じて予め定められた記録書式を看介護者が所持する端末装置に表示し、表示された記録書式に文字または数値等を入力する手法が考えられる。この手法では、看介護者は、看介護を実行した対象者である要看介護者の選択と、要看介護者に対して実行した看介護の種類の選択とを行うことが必要になる。
【００１４】
看介護の現場において、看介護者が、特定の要看介護者に対して、複数種類の看介護を続けて実行することがある。本発明者は、この場合、先ず要看介護者を選択した後、その要看介護者に対して実行された看介護の種類を順次選択可能に構成すると、効率的に看介護の内容を記録することができることを見出した。
【００１５】
一方、看介護者が、特定の看介護を、複数の要看介護者に対して続けて実行することもある。本発明者は、この場合、先ず看介護の種類を選択した後、その看介護を実行した対象者である要看介護者を順次選択可能に構成すると、効率的に看介護の内容を記録することができることを見出した。
【００１６】
このような知見に基づいて、本発明者は、要看介護者の選択と、看介護の種類の選択とのうち、先にどちらからでも行うことができる発明を想到するに至った。
【００１７】
（実施の形態）
以下、本発明の１または複数の実施形態が、図面を参照して説明される。しかし、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１８】
実施形態における被監視者監視システムは、監視すべき（見守るべき）監視対象（見守り対象）である被監視者（見守り対象者）Ｏｂを監視するものであり、センサ装置と、管理サーバ装置（中央処理装置の一例）と、複数の端末装置とを備える。このセンサ装置は、被監視者Ｏｂに関わる所定のイベントを検知して管理サーバ装置へ通知（報知、送信）する。管理サーバ装置は、通信を行う通信部を備え、センサ装置および前記複数の端末装置それぞれと通信可能に接続される。管理サーバ装置は、前記センサ装置から前記通知を受けると、前記所定のイベントを管理するとともに前記所定のイベントを前記センサ装置に対応付けられた所定の端末装置へ再通知（再報知、再送信）する。
【００１９】
本実施形態では、この被監視者Ｏｂに対する看護師の看護の記録や介護士の介護の記録を支援するために、管理サーバ装置は、さらに、書式情報記憶部と、書式配信処理部とを備える。書式情報記憶部は、看護および介護のうちの少なくとも一方を含む看介護の内容を看介護記録として入力するための、予め用意された所定の様式の記録書式を、前記看介護の種類に応じて複数、記憶する。書式配信処理部は、記録書式を要求する命令を収容する通信信号を前記通信部で受信した場合に、前記受信した書式要求通信信号に収容された要求に基づいて、前記書式情報記憶部に記憶されている複数の記録書式の中から記録書式を選択し、前記選択した記録書式を収容した通信信号を前記通信部で前記送信元へ送信する。
【００２０】
なお、前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様であるので、以下の実施形態では、携帯端末装置を主に説明する。
【００２１】
図１は、実施形態における被監視者監視システムの構成を示す図である。図２は、前記被監視者監視システムにおける管理サーバ装置の構成を示す図である。図３は、前記管理サーバ装置に記憶されるサーバ側監視情報テーブルの構成を示す図である。図４は、前記管理サーバ装置に記憶される装置間情報テーブルの構成を示す図である。図４Ａは、装置間情報テーブルのうちの通知先対応関係情報テーブルの構成を示し、図４Ｂは、装置間情報テーブルのうちの通信アドレス対応関係情報テーブルの構成を示す。図５は、前記管理サーバ装置に記憶されるサーバ側センサ情報テーブルの構成を示す図である。図６は、前記携帯端末装置に表示される食事ケア用記録書式画面の一例を示す図である。図７は、前記携帯端末装置に表示されるモーニングケア用記録書式画面の一例を示す図である。図８は、前記携帯端末装置に表示される排泄ケア用記録書式画面の一例を示す図である。図９は、前記携帯端末装置に表示される有無入力画面の一例を示す図である。図１０は、前記被監視者監視システムにおける携帯端末装置の構成を示す図である。
【００２２】
実施形態における被監視者監視システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。なお、集線装置ＬＳやアクセスポイントＡＰは、図１に示す例では、それぞれ１つずつ図示されているが、これらは、それぞれ、複数であって良い。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００２３】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の居室を備える介護施設の建物に配設されている。
【００２４】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベント（事象）は、好適には対処が必要な所定のイベントであり、例えば、本実施形態では、被監視者Ｏｂにおける予め設定された所定の行動およびナースコール（ＮＣ）である。より具体的には、センサ装置ＳＵは、例えば、ネットワークＮＷを介して他の装置ＳＶ、ＳＰ、ＴＡと通信するための通信インターフェース回路（例えばＬＡＮカード等）、被監視者Ｏｂを撮像して画像を生成する画像センサ、前記画像センサの出力（画像）に基づいて被監視者Ｏｂにおける予め設定された所定の行動を前記所定のイベントの一例として検知して管理サーバ装置ＳＶへ通知する行動検知処理回路、ナースコールを前記所定のイベントの他の一例として受け付けて管理サーバ装置ＳＶへ通知するナースコール処理回路、端末装置ＳＰ、ＴＡ等との間で音声通話を行う通話処理回路、前記画像センサの出力（画像（静止画および動画を含む））を所定の他の装置ＳＶ、ＳＰ、ＴＡへ送信する画像送信処理回路、これらを制御する制御回路、および、その周辺回路を備えて構成される。
【００２５】
前記所定の行動は、本実施形態では、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。前記行動検知処理回路は、例えば、前記画像センサで撮像した画像（対象画像）に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＤの所在領域、寝具ＢＤの所在領域内における横臥姿勢の頭部の大きさと座位姿勢の頭部の大きさとを識別するための第１閾値Ｔｈ１、寝具ＢＤの所在領域を除く居室ＲＭ内における立位姿勢の頭部の大きさであるか否かを識別するための第２閾値Ｔｈ２、および、寝具ＢＤの所在領域を除く居室ＲＭ内における横臥姿勢の頭部の大きさであるか否かを識別するための第３閾値Ｔｈ３が予め記憶される。そして、前記行動検知処理回路は、対象画像から例えば背景差分法やフレーム差分法によって被監視者Ｏｂの人物の領域として動体領域を抽出し、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出し、この抽出した頭部の位置および大きさから起床、離床、転倒および転落を検知する。例えば、前記行動検知処理回路は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知処理回路は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、前記行動検知処理回路は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、前記行動検知処理回路は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００２６】
前記所定のイベントは、第１イベント通知通信信号によってセンサ装置ＳＵから管理サーバ装置ＳＶへ通知される。この第１イベント通知通信信号には、自機のセンサＩＤおよび前記イベントの内容を表すイベント情報が収容される。前記センサＩＤ（センサ識別子）は、センサ装置ＳＵを特定し識別するための識別子である。前記イベント情報は、本実施形態では、起床、離床、転落、転倒およびナースコールのうちの１または複数である。第１イベント通知通信信号には、前記画像センサで撮像した画像が収容されても良い。特に、前記イベント情報が起床、離床、転落および転倒のうちのいずれかである場合には、前記所定の行動の検知に用いられた画像（前記検知が複数の画像によって実施された場合には例えば最後の画像）が収容されることが好ましい。前記画像は、静止画および動画のうちの少なくとも一方であって良く、本実施形態では、後述するように、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００２７】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２８】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置（中央処理装置）である。そして、本実施形態では、管理サーバ装置ＳＶは、前記看介護の種類に応じた複数の記録書式を記憶し、端末装置ＳＰ、ＴＡから記録書式の要求を受信すると、要求された記録書式を送信元の前記端末装置ＳＰ、ＴＡへ返信する。管理サーバ装置ＳＶは、記録書式を用いた看介護記録を受信すると、その看介護記録を記憶する。このような管理サーバ装置ＳＶは、例えば、図２に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００２９】
ＳＶ通信ＩＦ部２１は、ＳＶ制御処理部２２に接続され、ＳＶ制御処理部２２の制御に従って通信を行うための通信回路である。ＳＶ通信ＩＦ部２１は、ＳＶ制御処理部２２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部２１は、ネットワークＮＷを介して他の装置ＳＵ、ＳＰ、ＴＡから通信信号を受信し、この受信した通信信号からデータを取り出し、この取り出したデータをＳＶ制御処理部２２が処理可能な形式のデータに変換してＳＶ制御処理部２２へ出力する。ＳＶ通信ＩＦ部２１は、例えば、ＩＥＥＥ８０２．１１規格等に従った通信インターフェース回路を備えて構成される。
【００３０】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、端末装置ＳＰ、ＴＡから記録書式の要求を受信すると、要求された記録書式を送信元の前記端末装置ＳＰ、ＴＡへ返信する書式配信処理プログラムや、端末装置ＳＰ、ＴＡから選択画面の要求を受信すると要求された選択画面を送信元の前記端末装置ＳＰ、ＴＡへ返信し、記録書式を用いた看介護記録を受信するとその看介護記録を記憶するＳＶ看介護記録処理プログラムや、携帯端末装置ＴＡのログインを認証するログイン認証処理プログラム等の制御処理プログラムが含まれる。前記各種の所定のデータには、自機の、管理サーバ装置ＳＶを特定し管理サーバ装置ＳＶを識別するためのサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、前記記録書式に関する書式情報や、看介護記録の情報である看介護記録情報や、選択画面等を表す画面情報等の各プログラムを実行する上で必要なデータ等が含まれる。ＳＶ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＶ記憶部２３は、前記所定のプログラムの実行中に生じるデータ等を記憶するいわゆるＳＶ制御処理部２２のワーキングメモリとなるＲＡＭ（Ｒａｎｄｏｍ  Ａｃｃｅｓｓ  Ｍｅｍｏｒｙ）等を含む。そして、これら監視情報、装置間情報、センサ情報、書式情報、看介護記録情報及び画面情報それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、書式情報記憶部２３４、看介護記録情報記憶部２３５及び画面情報記憶部２３６を機能的に備える。
【００３１】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（イベント情報、本実施形態では起床、離床、転落、転倒およびナースコール）、受信時刻、対象画像（静止画および動画）および対処の有無が互いに対応付けて記憶される。
【００３２】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図３に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（イベントフィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００３３】
装置間情報記憶部２３２は、前記装置間情報として、本実施形態では、センサ装置ＳＵから送信された第１イベント通知通信信号等の通知先（再通知先、再報知先、送信先）を示す、送信元であるセンサＩＤと報知先（再報知先）である端末ＩＤとの対応関係（通知先対応関係）、および、各装置ＳＵ、ＳＰ、ＴＡのＩＤ（センサＩＤ、端末ＩＤ）とその通信アドレスとの対応関係（通信アドレス対応関係）等を記憶するものである。端末ＩＤ（端末識別子）は、端末装置ＳＰ、ＴＡを特定し端末装置ＳＰ、ＴＡを識別するための識別子である。
【００３４】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図４Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図４Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００３５】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。また、通知先対応関係は、１個の端末装置ＳＰ、ＴＡに対して複数のセンサ装置ＳＵが対応付けられても良い。
【００３６】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００３７】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴ−ＳＶは、例えば、図５に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００３８】
書式情報記憶部２３４は、前記書式情報を記憶するものである。前記書式情報は、看護および介護のうちの少なくとも一方を含む看介護の内容を看介護記録として入力するための記録書式に関する情報であり、前記記録書式は、予め規定された所定の様式（フォーマット、入力フォーム）として、前記看介護の種類に応じて複数、予め用意されている。
【００３９】
前記看介護の種類は、看護の実務や介護の実務等に応じて種々ある。例えば、前記看介護の種類として、定期性を有するケア、および、場所に依存するケア等が挙げられる。より具体的には、定期性を有するケアとして、日々実施される、モーニングケア（着替え、洗面および義歯装着等）、食事ケア（朝食ケア、昼食ケア、夕食ケア）、間食ケア、服薬ケア、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられる。場所に依存するケアとして、排泄ケア等が挙げられる。これら看介護は、例えばリビング、居室ＲＭ、トイレ、浴場およびナースステーション等の場所に依存したり、また例えば、看護師や介護士等、あるいは、当該看介護の担当者等の監視者に依存したりする。記録書式は、このような看介護の内容に応じて予め用意されており、例えば、モーニングケア用の記録書式、食事ケア用の記録書式、間食ケア用の記録書式、服薬ケア用の記録書式、歯磨きケア用の記録書式、および、水分補給ケア用の記録書式等がある。
【００４０】
図６の食事ケア用記録書式画面６４ａは、食事ケア用の記録書式を表示する画面であって、実施した食事ケアの内容を看介護記録として入力するための画面である。前記食事ケア用記録書式画面６４ａは、例えば、図６に示すように、メニューバー領域５１１と、対象者名を表示する対象者名表示領域６３１と、看介護の内容として入力すべき入力項目を表示して前記入力項目に応じた看介護の内容を看介護記録として入力する看介護記録入力領域６４１ａと、この看介護記録を他の端末装置ＳＰ、ＴＡから参照可能とするか否かの設定を入力する共有化チェックボックス（□）６４２と、「送信して戻る」ボタン６４３と、「送信して終了する」ボタン６４４とを備える。
【００４１】
食事ケア用の記録書式では、例えば、本実施形態では、前記入力項目として主食の摂取量、副食の摂取量、メモおよびケア実施時間であり、これらを入力するために、看介護記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時間入力領域６４１ａ−４とを備える。共有化チェックボックス６４２では、チェックの入力操作を受け付けると、共有化チェックボックス６４２内に「レ」が表示され、記録書式画面６４（図６に示す例では当該食事ケア用記録書式画面６４ａ）に入力された内容を他の端末装置ＳＰ、ＴＡから参照できるように設定する指示が入力される。一方、チェックの入力操作を受け付けないと、共有化チェックボックス６４２内は、空欄で表示され、記録書式画面６４（図１４に示す例では当該食事ケア用記録書式画面６４ａ）に入力された内容を他の端末装置ＳＰ、ＴＡから参照できないように設定する指示が入力される。「送信して戻る」ボタン６４３と、「送信して終了する」ボタン６４４とは、いずれも、記録書式画面６４（図６に示す例では当該食事ケア用記録書式画面６４ａ）に入力された内容（図６に示す例では食事ケアの内容）を管理サーバ装置ＳＶへ送信する指示を入力するためのボタンである。但し、「送信して戻る」ボタン６４３と、「送信して終了する」ボタン６４４とでは、記録書式画面６４に入力された内容が管理サーバ装置ＳＶへ送信された後の動作が異なる。この点については後に詳述される。
【００４２】
図７のモーニングケア用記録書式画面６４ｂは、モーニングケア用の記録書式を表示する画面であって、実施したモーニングケアの内容を看介護記録として入力するための画面である。前記モーニングケア用記録書式画面６４ｂは、例えば、図７に示すように、メニューバー領域５１１と、対象者名表示領域６３１と、看介護の内容として入力すべき入力項目を表示して前記入力項目に応じた看介護の内容を看介護記録として入力する看介護記録入力領域６４１ｂと、共有化チェックボックス（□）６４２と、「送信して戻る」ボタン６４３と、「送信して終了する」ボタン６４４とを備える。
【００４３】
モーニングケア用の記録書式では、例えば、本実施形態では、前記入力項目として更衣、整容、整髪、口腔ケア、洗面、離床、清拭およびその他の各項目、メモならびにケア実施時間であり、これらを入力するために、看介護記録入力領域６４１ｂは、更衣の有無を入力するための更衣入力チェックボックス（□）、整容の有無を入力するための整容入力チェックボックス（□）、整髪の有無を入力するための整髪入力チェックボックス（□）、口腔ケアの有無を入力するための口腔ケア入力チェックボックス（□）、洗面の有無を入力するための洗面入力チェックボックス（□）、離床の有無を入力するための離床入力チェックボックス（□）、清拭の有無を入力するための清拭入力チェックボックス（□）およびその他の有無を入力するためのその他入力チェックボックス（□）を備える項目領域６４１ｂ−１と、メモを入力するための自由記述入力領域６４１ｂ−２と、看介護を実施した時刻を入力するためのケア実施時間入力領域６４１ｂ−３とを備える。図７に示すモーニングケア用記録書式画面６４ｂの看介護記録入力領域６４１ｂにおける各領域６４１ｂ−２、６４１ｂ−３を入力操作（例えばタップ）すると、食事ケア用記録書式画面６４ａと同様に、当該領域６４１ｂ−２、６４１ｂ−３に入力すべきデータの属性（例えばテキストデータや数値データ等）に応じた、データの入力のためのサブウィンドウが当該モーニングケア用記録書式画面６４ｂに重ねられて開くようになっている。
【００４４】
図８の排泄ケア用記録書式画面６４ｃは、排泄用の記録書式を表示する画面であって、実施した排泄ケアの内容を看介護記録として入力するための画面である。前記排泄ケア用記録書式画面６４ｃは、例えば、図８に示すように、メニューバー領域５１１と、対象者名表示領域６３１と、看介護の内容として入力すべき入力項目を表示して前記入力項目に応じた看介護の内容を看介護記録として入力する看介護記録入力領域６４１ｃと、共有化チェックボックス（□）６４２と、「送信して戻る」ボタン６４３と、「送信して終了する」ボタン６４４とを備える。
【００４５】
排泄ケア用の記録書式では、例えば、本実施形態では、前記入力項目として排尿、便量、便質、メモならびにケア実施時間であり、これらを入力するために、看介護記録入力領域６４１ｃは、排尿の有無を入力するための排尿入力領域６４１ｃ−１と、便量を入力するための便量入力領域６４１ｃ−２と、便質を入力するための便質入力領域６４１ｃ−３と、メモを入力するための自由記述入力領域６４１ｃ−４と、看介護を実施した時刻を入力するためのケア実施時間入力領域６４１ｃ−５とを備える。図８に示す排泄ケア用記録書式画面６４ｃの看介護記録入力領域６４１ｃにおける各領域６４１ｃ−１〜６４１ｃ−５を入力操作（例えばタップ）すると、食事ケア用記録書式画面６４ａと同様に、当該領域６４１ｃ−１〜６４１ｃ−５に入力すべきデータの属性（例えばテキストデータや数値データ等）に応じた、データの入力のためのサブウィンドウが当該排泄ケア用記録書式画面６４ｃに重ねられて開くようになっている。例えば、排尿入力領域６４１ｃ−１が入力操作されると、例えば図９に示す、排尿有無選択画面７４が当該排泄ケア用記録書式画面６４ｃに重ねられてＴＡ表示部３６に表示される。この排尿有無選択画面７４は、排尿の有無を、当該携帯端末装置ＴＡに選択入力するための画面である。前記排尿有無選択画面７４は、例えば図９に示すように、排尿のなしおよび排尿のありを表示する排尿有無選択領域７４１と、「戻る」ボタン７１２と同様の「戻る」ボタン７４２とを備える。排尿有無選択領域７４１における排尿のなしおよび排尿のありを表示する各領域それぞれには、これらのいずれかを指定して入力するためのラジオボタン（○）が備えられている。図９に示す例では、排尿のなしのラジオボタンがチェックされており、排尿のなしが指定されて携帯端末装置ＴＡに入力される。
【００４６】
以上のような書式情報は、前記看介護の種類に対応付けて書式情報記憶部２３４に記憶される。本実施形態では、記録書式の電子ファイルは、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述され、書式情報記憶部２３４に記憶される。
【００４７】
看介護記録情報記憶部２３５は、前記看介護記録情報を記憶するものである。看介護の対象者である被監視者名と、前記看介護記録の内容とが互いに対応付けられて前記看介護記録情報として看介護記録情報記憶部２３５に記憶される。
【００４８】
画面情報記憶部２３６（カテゴリ情報記憶部の一例）は、前記画面情報を記憶するものである。画面情報記憶部２３６は、携帯端末装置ＴＡに送信する、例えば後述の待受け画面５１、サブメニュー画面６１、対象者選択画面６２，８２、書式選択画面６３，８１等の電子ファイルを予め記憶する。
【００４９】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、被監視者監視システムＭＳ全体を管理するための回路である。そして、本実施形態では、ＳＶ制御処理部２２は、端末装置ＳＰ、ＴＡから記録書式の要求を受信すると、要求された記録書式を送信元の前記端末装置ＳＰ、ＴＡへ返信する。ＳＶ制御処理部２２は、記録書式を用いた看介護記録を受信するとその看介護記録を記憶する。ＳＶ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、書式配信処理部２２３およびサーバ側看介護記録処理部（ＳＶ看介護記録処理部）２２４を機能的に備える。
【００５０】
ＳＶ制御部２２１は、管理サーバ装置ＳＶの各部を当該各部の機能に応じてそれぞれ制御し、管理サーバ装置ＳＶの全体制御を司るものである。
【００５１】
ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ報知するものである。より具体的には、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。そして、ＳＶ監視処理部２２２は、この受信した第１イベント通知通信信号を送信したセンサ装置ＳＵに対応する通報先（再通報先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（起床、離床、転落および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００５２】
書式配信処理部２２３は、端末装置ＳＰ、ＴＡから記録書式の要求を受信すると、要求された記録書式を送信元の前記端末装置ＳＰ、ＴＡへ返信するものである。そして、本実施形態では、書式配信処理部２２３は、年月日時を計時する。より具体的には、書式配信処理部２２３は、記録書式を要求する命令を収容する通信信号をＳＶ通信ＩＦ部２１で受信した場合に、書式情報記憶部２３４に記憶されている複数の記録書式の中から要求された記録書式を選択し、この選択した記録書式を収容した通信信号をＳＶ通信ＩＦ部２１で前記送信元へ送信する。
【００５３】
ＳＶ看介護記録処理部２２４は、端末装置ＳＰ、ＴＡを用いて監視者（ユーザ）により行われる看介護の内容の入力処理を制御するものである。
【００５４】
ＳＶ看介護記録処理部２２４は、端末装置ＳＰ、ＴＡから送られた看介護記録のための選択画面の要求を受信すると、要求された選択画面を送信元の前記端末装置ＳＰ、ＴＡへ返信する。より具体的には、ＳＶ看介護記録処理部２２４は、対象者選択画面又は書式選択画面等の選択画面を要求する命令を収容する通信信号をＳＶ通信ＩＦ部２１で受信した場合に、画面情報記憶部２３６に記憶されている複数の選択画面の中から要求された選択画面を抽出し、この抽出した選択画面を収容した通信信号をＳＶ通信ＩＦ部２１で前記送信元の端末装置ＳＰ、ＴＡへ送信する。
【００５５】
また、ＳＶ看介護記録処理部２２４は、端末装置ＳＰ、ＴＡから送られた看介護記録のための記録書式の要求を受信すると、要求された記録書式を送信元の前記端末装置ＳＰ、ＴＡへ返信する。より具体的には、ＳＶ看介護記録処理部２２４は、看介護の内容に応じた種類の記録書式を要求する命令を収容する通信信号をＳＶ通信ＩＦ部２１で受信した場合に、書式情報記憶部２３４に記憶されている複数の記録書式の中から要求された種類の記録書式を抽出し、この抽出した記録書式を収容した通信信号をＳＶ通信ＩＦ部２１で前記送信元の端末装置ＳＰ、ＴＡへ送信する。
【００５６】
また、ＳＶ看介護記録処理部２２４は、端末装置ＳＰ、ＴＡから記録書式を用いた看介護記録を受信すると、その看介護記録を看介護記録情報記憶部２３５に記憶させる。また、ＳＶ看介護記録処理部２２４は、看介護記録を受信したときに、「送信して戻る」ボタン６４３の入力操作により送信されたか、「送信して終了する」ボタン６４４の入力操作により送信されたかによって、ボタンに応じた処理を実行する。このボタンに応じた処理については後に詳述される。
【００５７】
なお、管理サーバ装置ＳＶは、図２に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５８】
このような管理サーバ装置ＳＶは、例えば、通信機能付きのコンピュータによって構成可能である。
【００５９】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００６０】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。このような携帯端末装置ＴＡは、本実施形態では、例えば、図１０に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００６１】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２へ出力し、また、ＴＡ制御処理部３２から入力された電気信号を音の機械振動信号に変換して出力する。
【００６２】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、音声通話の要求操作およびその終了操作や、ライブでの動画の要求操作およびその終了操作や、前記通知されたイベントに関わる被監視者Ｏｂに対する例えば救命、看護、介護および介助等の対応（対処、応対）を実行する意思がある旨（“対応する”）の入力操作や、所定の記録書式を用いた看介護記録の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）や、看介護記録を入力するための記録書式等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００６３】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６４】
ＴＡ通信ＩＦ部３１は、ＳＶ通信ＩＦ部２１と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００６５】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するＴＡストリーミング処理プログラムや、対象者（被監視者）及び記録書式の選択処理及び選択された記録書式を用いた看介護記録の入力処理を実行するＴＡ看介護記録処理プログラム等の制御処理プログラムが含まれる。前記各種の所定のデータでは、自機の端末ＩＤ、被監視者Ｏｂの前記監視情報、センサ装置ＳＵに関するセンサ情報、および、ＴＡ表示部３６に表示される画面情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。これら監視情報、センサ情報および画面情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および画面情報記憶部３３３を機能的に備える。
【００６６】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（イベント情報、本実施形態では起床、離床、転落、転倒およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図３に示すように、ＳＶ監視情報テーブルＭＴ−ＳＶと同様な端末側監視情報テーブル（ＴＡ監視情報テーブル）ＭＴ−ＴＡに前記監視情報を記憶する。
【００６７】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図５に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００６８】
画面情報記憶部３３３は、前記画面情報を記憶するものである。画面情報記憶部３３３は、管理サーバ装置ＳＶから送信された、例えば後述の待受け画面５１、対象者選択画面６２，８２、書式選択画面６３，８１、記録書式画面６４等の電子ファイルを記憶する。
【００６９】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。そして、本実施形態では、ＴＡ制御処理部３２は、所定の記録書式を用いた看介護記録の入力処理を実行する。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、端末側ストリーミング処理部（ＴＡストリーミング処理部）３２４、及び端末側看介護記録処理部（ＴＡ看介護記録処理部）３２５を機能的に備える。
【００７０】
ＴＡ制御部３２１は、携帯端末装置ＴＡの各部を当該各部の機能に応じてそれぞれ制御し、携帯端末装置ＴＡの全体制御を司るものである。
【００７１】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００７２】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００７３】
ＴＡストリーミング処理部３２４は、センサ装置ＳＵから動画（例えばライブの動画）の配信を受け、前記配信を受けた動画をストリーミング再生でＴＡ表示部３６に表示するものである。
【００７４】
ＴＡ看介護記録処理部３２５は、所定の記録書式を用いた看介護記録の入力処理を実行するものである。ＴＡ看介護記録処理部３２５は、監視者（ユーザ）が選択した入力内容の種類によって、異なる順序で看介護記録の入力処理を実行する。ＴＡ看介護記録処理部３２５は、監視者（ユーザ）の入力内容に応じた要求を収容する通信信号を管理サーバ装置ＳＶに送信する。ＴＡ看介護記録処理部３２５は、管理サーバ装置ＳＶからの返信に基づき、ＴＡ表示部３６に画面を表示する。ＴＡ看介護記録処理部３２５による看介護記録の入力処理については後に詳述される。
【００７５】
このような携帯端末装置ＴＡは、例えば、いわゆるタブレット型コンピュータやスマートフォンや携帯電話機等の、持ち運び可能な通信端末装置によって構成可能である。
【００７６】
次に、本実施形態における看介護記録動作について説明する。上記構成の被監視者監視システムＭＳでは、各装置ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部２２には、ＳＶ制御部２２１、ＳＶ監視処理部２２２、書式配信処理部２２３およびＳＶ看介護記録処理部２２４が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ＴＡストリーミング処理部３２４、及びＴＡ看介護記録処理部３２５が機能的に構成される。
【００７７】
図１１、図１２は、携帯端末装置ＴＡにおける看介護記録動作の一例を概略的に示すフローチャートである。図１３は、携帯端末装置ＴＡと管理サーバ装置ＳＶとにおける看介護記録動作の一例を概略的に示すシーケンス図である。図１１、図１２のフローチャートと、図１３のシーケンス図とにおいて、同一処理（同一ステップ）には同一符号が付されている。図１４は、携帯端末装置ＴＡに表示される待受け画面の一例を示す図である。図１５は、携帯端末装置ＴＡに表示されるサブメニュー画面の一例を示す図である。図１６は、携帯端末装置ＴＡに表示される第１階層の対象者選択画面の一例を示す図である。図１７は、携帯端末装置ＴＡに表示される第２階層の書式選択画面の一例を示す図である。図１８は、携帯端末装置ＴＡに表示される水分補給ケア用の記録書式画面の一例を示す図である。図１９は、携帯端末装置ＴＡに表示される服薬ケア用の記録書式画面の一例を示す図である。図２０は、携帯端末装置ＴＡに表示される第１階層の書式選択画面の一例を示す図である。図２１は、携帯端末装置ＴＡに表示される第２階層の対象者選択画面の一例を示す図である。図２２は、携帯端末装置ＴＡに表示される食事量選択画面の一例を示す図である。図２３は、携帯端末装置ＴＡに表示されるテキスト入力画面の一例を示す図である。図２４は、携帯端末装置ＴＡに表示される数値入力画面の一例を示す図である。図２５は、携帯端末装置ＴＡに表示される、図６と異なる対象者の食事ケア用記録書式画面の一例を示す図である。
【００７８】
図１１のＳ１０００において、携帯端末装置ＴＡの電源が投入され、その稼働を始めると、携帯端末装置ＴＡでは、例えば看護師や介護士等の監視者（ユーザ）によるログインの認証処理が行われる。この認証処理では、ユーザにより入力されたログイン名（ユーザ名）及び暗証番号等が、携帯端末装置ＴＡから管理サーバ装置ＳＶに送信される（図１３のＳ１００１）。管理サーバ装置ＳＶのＳＶ制御部２２１は、認証処理を行い、正常に認証が終了すると、待受け画面５１を画面情報記憶部２３６から抽出する（図１３のＳ１００２）。ＳＶ制御部２２１は、抽出した待受け画面５１を携帯端末装置ＴＡに送信する（図１３のＳ１００３）。
【００７９】
図１１（図１３）のＳ１０１０において、携帯端末装置ＴＡは、受信した、自機宛の通信信号を待ち受ける待受け画面５１をＴＡ表示部３６に表示する。この待受け画面５１は、例えば、図１４に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。
【００８０】
図１１のＳ１０２０において、携帯端末装置ＴＡのＴＡ制御部３２１は、前記タッチパネルを構成するＴＡ入力部３５から、待受け画面５１（図１４）におけるメニューバー領域５１１のサブメニューボタン５１１１の入力操作を受け付けたか否かを判定する。サブメニューボタン５１１１の入力操作を受け付けていなければ（Ｓ１０２０でＮＯ）、待機する。サブメニューボタン５１１１の入力操作を受け付けると（Ｓ１０２０でＹＥＳ）、携帯端末装置ＴＡは、サブメニュー画面の要求信号を管理サーバ装置ＳＶに送信する（図１３のＳ１０２１）。管理サーバ装置ＳＶのＳＶ看介護記録処理部２２４は、要求されたサブメニュー画面を画面情報記憶部２３６から抽出する（図１３のＳ１０２２）。ＳＶ看介護記録処理部２２４は、抽出したサブメニュー画面を携帯端末装置ＴＡに送信する（図１３のＳ１０２３）。図１１（図１３）のＳ１０３０において、携帯端末装置ＴＡのＴＡ看介護記録処理部３２５は、受信したサブメニュー画面６１（図１５）をＴＡ表示部３６に表示する。このように、サブメニューボタン５１１１（図１４）は、サブメニュー画面６１を管理サーバ装置ＳＶに要求する指示を、当該携帯端末装置ＴＡに入力するためのボタンである。
【００８１】
サブメニュー画面６１（選択情報の一例）は、選択可能なサブメニューを表示し、サブメニューを選択するための画面である。サブメニュー画面６１は、例えば図１５に示すように、サブメニューとして、「情報」ボタン６１１と、「スタッフ伝言板」ボタン６１２と、「ケア実施入力Ｐｅｒｓｏｎ」ボタン６１３ａと、「ケア実施入力Ｍｅｎｕ」ボタン６１３ｂと、「ログアウト」ボタン６１４とを備える。「情報」ボタン６１１は、例えばログイン名（介護士名）、端末ＩＤ等の所定の情報を表示する指示を、当該携帯端末装置ＴＡに入力するためのボタンである。「スタッフ伝言板」ボタン６１２は、端末装置ＳＰ、ＴＡから監視者（ユーザ）によって管理サーバ装置ＳＶに記録された電子伝言板に登録されたメッセージを表示する指示を、当該携帯端末装置ＴＡに入力するためのボタンである。「ケア実施入力Ｐｅｒｓｏｎ」ボタン６１３ａ及び「ケア実施入力Ｍｅｎｕ」ボタン６１３ｂは、端末装置ＳＰ、ＴＡから監視者（ユーザ）によって看介護記録を管理サーバ装置ＳＶに記録する指示を、当該携帯端末装置ＴＡに入力するためのボタンである。「ログアウト」ボタン６１４は、ログアウトする指示を、当該携帯端末装置ＴＡに入力するためのボタンである。
【００８２】
図１１のＳ１０４０において、携帯端末装置ＴＡのＴＡ看介護記録処理部３２５は、図１５に示されるサブメニュー画面６１がＴＡ表示部３６に表示された状態で、前記タッチパネルを構成するＴＡ入力部３５で入力操作が受け付けられたか否かを判定する。入力操作が受け付けられていなければ（Ｓ１０４０でＮＯ）、ＴＡ看介護記録処理部３２５は、サブメニュー画面６１がＴＡ表示部３６に表示された状態で待機する。入力操作が受け付けられると（Ｓ１０４０でＹＥＳ）、ＴＡ看介護記録処理部３２５は、入力操作されたボタンの種類を判定する（Ｓ１０５０）。
【００８３】
前記タッチパネルを構成するＴＡ入力部３５で「ケア実施入力Ｐｅｒｓｏｎ」ボタン６１３ａ及び「ケア実施入力Ｍｅｎｕ」ボタン６１３ｂ以外のボタンの入力操作が受け付けられると（Ｓ１０５０で「その他」）、ＴＡ看介護記録処理部３２５は、入力操作に応じた処理を実行する（Ｓ１３００）。例えば、ＴＡ看介護記録処理部３２５は、入力操作の内容を管理サーバ装置ＳＶに送信する。管理サーバ装置ＳＶは、受信した入力操作の内容に応じて、例えばＳＶ記憶部２３に入力操作の内容を記憶し、ＳＶ記憶部２３に記憶されている情報を抽出して携帯端末装置ＴＡに返信する。管理サーバ装置ＳＶは、入力操作の内容に応じた処理が終了すると、待受け画面５１（図１４）を携帯端末装置ＴＡに送信する。
【００８４】
Ｓ１３００が終了すると、処理はＳ１０１０に戻る。したがって、Ｓ１０１０において、ＴＡ看介護記録処理部３２５は、再び、受信した待受け画面５１（図１４）をＴＡ表示部３６に表示する。そして、Ｓ１０２０において、携帯端末装置ＴＡは、前記タッチパネルを構成するＴＡ入力部３５から、待受け画面５１（図１４）におけるメニューバー領域５１１のサブメニューボタン５１１１の入力操作を待機する。
【００８５】
次に、前記タッチパネルを構成するＴＡ入力部３５で「ケア実施入力Ｐｅｒｓｏｎ」ボタン６１３ａの入力操作が受け付けられた場合（Ｓ１０５０で「ケア実施入力Ｐｅｒｓｏｎ」）が説明される。この場合、ＴＡ看介護記録処理部３２５は、「ケア実施入力Ｐｅｒｓｏｎ」ボタン６１３ａの入力操作が受け付けられたことを表す通信信号を、管理サーバ装置ＳＶに送信する（図１３のＳ１０５１）。管理サーバ装置ＳＶのＳＶ看介護記録処理部２２４は、入力操作に応じた第１階層の選択画面を画面情報記憶部２３６から抽出する（図１３のＳ１０５２）。ＳＶ看介護記録処理部２２４は、抽出した選択画面を携帯端末装置ＴＡに送信する（図１３のＳ１０５３、看介護記録処理工程の一例、第１送信工程の一例）。ここでは、「ケア実施入力Ｐｅｒｓｏｎ」ボタン６１３ａの入力操作が受け付けられているので、管理サーバ装置ＳＶのＳＶ看介護記録処理部２２４は、第１階層の選択画面として、例えば図１６に示す対象者選択画面６２（第２カテゴリ情報の一例、被監視者情報の一例）を画面情報記憶部２３６から抽出して、携帯端末装置ＴＡに送信する。図１１（図１３）のＳ１０６０において、携帯端末装置ＴＡのＴＡ看介護記録処理部３２５は、受信した対象者選択画面６２をＴＡ表示部３６に表示する。
【００８６】
この対象者選択画面６２は、選択可能な対象者（第２入力項目の一例）を表示し、看介護を施した、看介護記録の対象者を選択するための画面である。前記対象者選択画面６２は、例えば、図１６に示すように、メニューバー領域５１１と、サブメニュー画面６１で選択されたサブメニュー名を表示するサブメニュー名表示領域６２１と、選択可能な１または複数の対象者を一覧で表示する対象者表示領域６２２（６２２−１〜６２２−５）とを備える。サブメニュー名表示領域６２１には、この例では、入力操作を受け付けた「ケア実施入力Ｐｅｒｓｏｎ」ボタン６１３ａに対応するサブメニューのサブメニュー名；「ケア実施入力Ｐｅｒｓｏｎ」が表示される。
【００８７】
なお、ＴＡ表示部３６の表示領域より、対象者表示領域６２２が広く、配設場所および被監視者名の各セットが全てＴＡ表示部３６の表示領域に表示できない場合には、例えばフリック（ｆｌｉｃｋ  ｉｎｐｕｔ）によってＴＡ表示部３６の表示領域に表示される対象者表示領域６２２の領域部分がスクロールされて変更され、ＴＡ表示部３６の表示領域に表示されていない配設場所および被監視者名のセットが表示できるようになっている。そして、この配設場所および被監視者名の各セットを表示する個々の領域６２２−１〜６２２−５は、監視者（携帯端末装置ＴＡのユーザ）によって選択された対象者（被監視者名）を、当該携帯端末装置ＴＡに入力するためのボタン（対象者選択ボタン）でもある。
【００８８】
対象者選択画面６２（図１６）がＴＡ表示部３６に表示された状態で、図１１のＳ１０７０において、携帯端末装置ＴＡのＴＡ看介護記録処理部３２５は、前記タッチパネルを構成するＴＡ入力部３５から、配設場所および被監視者名のセットを表示する領域（対象者選択ボタン）６２２の入力操作を受け付けて対象者の選択を受け付ける。すると、ＴＡ看介護記録処理部３２５は、この選択された対象者（選択第２入力項目の一例）を看介護記録の対象者として管理サーバ装置ＳＶに送信する（図１３のＳ１０７１）。ＳＶ看介護記録処理部２２４は、送信された看介護記録の対象者をＳＶ記憶部２３に記憶し、第２階層の選択画面を画面情報記憶部２３６から抽出する（図１３のＳ１０７２）。この実施形態では、第２階層の選択画面として、例えば図１７に示す書式選択画面６３（第１カテゴリ情報の一例、看介護種類情報の一例）を画面情報記憶部２３６から抽出する。ＳＶ看介護記録処理部２２４は、抽出した書式選択画面６３を携帯端末装置ＴＡに送信する（図１３のＳ１０７３、看介護記録処理工程の一例、第２送信工程の一例）。
【００８９】
図１２（図１３）のＳ１０８０において、携帯端末装置ＴＡのＴＡ看介護記録処理部３２５は、受信した書式選択画面６３をＴＡ表示部３６に表示する。この書式選択画面６３は、看介護の種類に応じて予め用意され選択可能な記録書式（第１入力項目の一例）を表示し、記録書式を選択するための画面である。前記書式選択画面６３は、例えば、図１７に示すように、メニューバー領域５１１と、対象者選択画面６２で選択された対象者名を表示する対象者名表示領域６３１と、選択可能な１または複数の記録書式をその名称で一覧で表示する書式表示領域６３２（図１７では６３２−２〜６３２−６）とを備える。図１７に示す例では、図１６の対象者選択画面６２において「１０２  ＢＢＢＢ」を表示する領域（対象者選択ボタン）６２２−２が入力操作され、対象者名表示領域６３１には、「１０２  ＢＢＢＢ」が表示されている。
【００９０】
また、この記録書式名を表示する個々の領域６３２−２〜６３２−７は、監視者によって選択された記録書式を、当該携帯端末装置ＴＡに入力するためのボタン（書式選択ボタン）でもある。図１７に示す例では、書式表示領域６３２は、水分補給ケア用の記録書式名として「水分」を表示する「水分」領域６３２−２と、排泄ケア用の記録書式名として「排泄」を表示する「排泄」領域６３２−３と、バイタルチェック用の記録書式名として「バイタル」を表示する「バイタル」領域６３２−４と、服薬の記録書式名として「服薬」を表示する「服薬」領域６３２−５と、その他の任意のケア用の記録書式名として「その他」領域６３２−６とを備える。そして、前記「水分」領域６３２−２は、水分補給ケア用の記録書式の選択を、当該携帯端末装置ＴＡに入力するためのボタンであり、前記「排泄」領域６３２−３は、排泄ケア用の記録書式の選択を、当該携帯端末装置ＴＡに入力するためのボタンであり、前記「バイタル」領域６３２−４は、バイタルチェック用の記録書式の選択を、当該携帯端末装置ＴＡに入力するためのボタンであり、前記「服薬」領域６３２−５は、服薬ケア用の記録書式の選択を、当該携帯端末装置ＴＡに入力するためのボタンであり、前記「その他」領域６３２−４は、その他の任意のケア用の記録書式の選択を、当該携帯端末装置ＴＡに入力するためのボタンである。
【００９１】
また、ＴＡ表示部３６の表示領域より、書式表示領域６３２が広く、記録書式名が全てＴＡ表示部３６の表示領域に表示できない場合には、例えばフリック（ｆｌｉｃｋ  ｉｎｐｕｔ）によってＴＡ表示部３６の表示領域に表示される書式表示領域６３２の領域部分がスクロールされて変更され、ＴＡ表示部３６の表示領域に表示されていない記録書式名が表示できるようになっている。例えば、後述の図２０に示す例では、「水分」領域６３２−２の上に、食事ケア用の記録書式名として「食事」を表示する「食事」領域６３２−１が設けられている。前記「食事」領域６３２−１は、食事ケア用の記録書式の選択を、当該携帯端末装置ＴＡに入力するためのボタンである。
【００９２】
さらに、図１７に示す例では、前記記録書式名を表示する個々の領域６３２−２〜６３２−６には、看介護記録の内容も表示されている。例えば、本日、前日および前回における看介護記録の各内容が表示される。この看介護記録の各内容を前記領域６３２に表示するために、ＴＡ看介護記録処理部３２５は、自機の端末ＩＤ、選択され入力された対象者名（被監視者名）、ならびに、本日、前日および前回における看介護記録の各内容を要求する命令を収容する通信信号（看介護記録要求通信信号）を管理サーバ装置ＳＶへ送信する。この看介護記録要求通信信号を受信すると、管理サーバ装置ＳＶは、この受信した看介護記録要求通信信号に収容された対象者名（被監視者名）に対応する本日、前日および前回における看介護記録の各内容を看介護記録情報記憶部２３５から取り出し、この取り出した本日、前日および前回における看介護記録の各内容、ならびに、前記受信した看介護記録要求通信信号に収容された端末ＩＤおよび対象者名（被監視者名）を収容する通信信号（看介護記録返信通信信号）を、前記受信した看介護記録要求通信信号の送信元の携帯端末装置ＴＡへ返信する。ＴＡ看介護記録処理部３２５は、管理サーバ装置ＳＶからこの看介護記録返信通信信号を受信してその収容されたデータを取り出すことで、前記看介護記録の各内容を前記領域６３２に表示する。
【００９３】
図１２のＳ１０９０において、書式選択画面６３の表示中に、携帯端末装置ＴＡのＴＡ看介護記録処理部３２５は、前記タッチパネルを構成するＴＡ入力部３５から、記録書式名を表示する領域（書式選択ボタン）６３２の入力操作を受け付けて記録書式名の選択を受け付ける。すると、ＴＡ看介護記録処理部３２５は、自機の端末ＩＤ、前記選択された記録書式名（選択第１入力項目の一例）および当該記録書式名の記録書式を要求する命令を収容する通信信号を、ＴＡ通信ＩＦ部３１を介して、管理サーバ装置ＳＶへ送信することで、前記選択を受け付けた記録書式を管理サーバ装置ＳＶへ要求する（図１３のＳ１０９１）。
【００９４】
この通信信号を受信すると、管理サーバ装置ＳＶのＳＶ看介護記録処理部２２４は、この受信した通信信号に収容された記録書式名に対応する記録書式の電子ファイルを書式情報記憶部２３４から取り出す（図１３のＳ１０９２）。ＳＶ看介護記録処理部２２４は、この取り出した記録書式の電子ファイル、ならびに、前記受信した通信信号に収容された端末ＩＤおよび記録書式名を収容する通信信号を、ＳＶ通信ＩＦ部２１（通信部の一例）を介して、前記受信した通信信号の送信元の携帯端末装置ＴＡへ返信する（図１３のＳ１０９３）。
【００９５】
次に、書式選択画面６３の表示中に、管理サーバ装置ＳＶから通信信号を受信すると、図１２（図１３）のＳ１１００において、携帯端末装置ＴＡのＴＡ看介護記録処理部３２５は、受信した通信信号に収容された記録書式の電子ファイルを取り出し、この取り出した記録書式の電子ファイルを用いてＴＡ表示部３６に、記録書式画面６４を表示する。
【００９６】
例えば、図１７の書式選択画面６３において「水分」を表示する領域（書式選択ボタン）６３２−２が入力操作されると（図１２のＳ１０９０）、携帯端末装置ＴＡは、ＴＡ看介護記録処理部３２５によって、水分ケア用の記録書式を要求するための通信信号を管理サーバ装置ＳＶへ送信する（図１３のＳ１０９１）。管理サーバ装置ＳＶのＳＶ看介護記録処理部２２４は、水分ケア用の記録書式の電子ファイルを書式情報記憶部２３４から取り出す（図１３のＳ１０９２）。管理サーバ装置ＳＶのＳＶ看介護記録処理部２２４は、水分ケア用の記録書式の電子ファイルを収容した通信信号を携帯端末装置ＴＡに送信する（図１３のＳ１０９３）。携帯端末装置ＴＡのＴＡ看介護記録処理部３２５は、受信した水分補給ケア用記録書式画面６４ｄ（図１８）をＴＡ表示部３６に表示する。
【００９７】
図１８に示されるように、水分補給ケア用記録書式画面６４ｄは、食事ケア用記録書式画面６４ａ（図６）等と同様に、メニューバー領域５１１と、対象者名表示領域６３１と、看介護記録入力領域６４１ｄと、共有化チェックボックス（□）６４２と、「送信して戻る」ボタン６４３と、「送信して終了する」ボタン６４４とを備える。
【００９８】
水分補給ケア用の記録書式における入力項目は、例えば、本実施形態では、摂取量、水分の種類、メモおよびケア実施時間であり、これらを入力するために、看介護記録入力領域６４１ｄは、摂取量を入力するための摂取量入力領域６４１ｄ−１と、水分の種類を入力するための種類入力領域６４１ｄ−２と、メモを入力するための自由記述入力領域６４１ｄ−３と、看介護を実施した時刻を入力するためのケア実施時間入力領域６４１ｄ−４とを備える。
【００９９】
図１２のＳ１１１０において、監視者（ユーザ）は、ＴＡ表示部３６に表示された記録書式画面６４を参照し、この記録書式画面６４の入力項目に応じた看介護の内容を入力すると、ＴＡ看介護記録処理部３２５は、監視者（ユーザ）の入力を受け付ける。
【０１００】
上述の例では、監視者（ユーザ）は、ＴＡ表示部３６に表示された水分補給ケア用記録書式画面６４ｄを参照し、この水分補給ケア用記録書式画面６４ｄの看介護記録入力領域６４１ｄにおける各領域６４１ｄ−１〜６４１ｄ−４に、ＴＡ入力部３５を用いて水分ケアの内容を入力し、必要に応じて、共有化チェックボックス（□）６４２を入力操作する。
【０１０１】
より詳しくは、本実施形態では、図１８に示す水分補給ケア用記録書式画面６４ｄの看介護記録入力領域６４１ｄにおける各領域６４１ｄ−１〜６４１ｄ−４を入力操作（例えばタップ）すると、当該領域６４１ｄ−１〜６４１ｄ−４に入力すべきデータの属性（例えばテキストデータや数値データ等）に応じた、データの入力のためのサブウィンドウが当該水分補給ケア用記録書式画面６４ｄに重ねられて開くようになっている。サブウィンドウの例については後述される。
【０１０２】
図１２のＳ１１２０において、ＴＡ看介護記録処理部３２５は、監視者（ユーザ）によって、「送信して戻る」ボタン６４３が入力操作されたか否かを判定する。「送信して戻る」ボタン６４３が入力操作されなければ（Ｓ１１２０でＮＯ）、ＴＡ看介護記録処理部３２５は、監視者（ユーザ）によって、「送信して終了する」ボタン６４４が入力操作されたか否かを判定する（Ｓ１１３０）。「送信して終了する」ボタン６４４が入力操作されなければ（Ｓ１１３０でＮＯ）、処理はＳ１１１０に戻って、ＴＡ看介護記録処理部３２５は、監視者（ユーザ）による看介護の内容の入力受付を継続する。
【０１０３】
看介護の内容の入力が終了して、監視者（ユーザ）によって例えば「送信して戻る」ボタン６４３が入力操作されると（Ｓ１１２０でＹＥＳ）、携帯端末装置ＴＡのＴＡ看介護記録処理部３２５は、自機の端末ＩＤ、選択されている対象者名（被監視者名）、入力操作されたのが「送信して戻る」ボタン６４３であること、ならびに、記録書式画面６４を用いて入力された看介護記録の内容（上述の例では水分補給ケア用記録書式画面６４ｄを用いて入力された摂取量、種類、メモ、ケア実施時間および共有化の許否）を収容する通信信号（看介護記録通信信号）を、ＴＡ通信ＩＦ部３１により、管理サーバ装置ＳＶへ送信する（図１３のＳ１１２１）。
【０１０４】
図１３のＳ１１２２において、管理サーバ装置ＳＶのＳＶ看介護記録処理部２２４は、ＳＶ通信ＩＦ部２１により、この看介護記録通信信号を受信すると、この受信した看介護記録通信信号に収容された、対象者名（被監視者名）と看介護記録の内容（上述の例では摂取量、種類、メモ、ケア実施時間および共有化の許否）とを互いに対応付けて、看介護記録情報記憶部２３５に記憶する。
【０１０５】
また、入力操作されたのが「送信して戻る」ボタン６４３であるので、図１３のＳ１１２２において、ＳＶ看介護記録処理部２２４は、ボタンに応じた処理として、再び、第２階層の選択画面として、例えば図１７に示す書式選択画面６３を画面情報記憶部２３６から抽出する。ＳＶ看介護記録処理部２２４は、抽出した書式選択画面６３を携帯端末装置ＴＡに送信する（図１３のＳ１１２３）。一方、図１２において、看介護記録の入力が終了して、「送信して戻る」ボタン６４３が入力操作されると（Ｓ１１２０でＹＥＳ）、処理はＳ１０８０に戻る。
【０１０６】
したがって、図１２のＳ１０８０において、ＴＡ看介護記録処理部３２５は、再び、受信した書式選択画面６３（図１７）をＴＡ表示部３６に表示する。
【０１０７】
書式選択画面６３（図１７）がＴＡ表示部３６に表示された状態で、２回目の図１２のＳ１０９０において、例えば書式選択画面６３の「服薬」を表示する領域（書式選択ボタン）６３２−５が入力操作されると、携帯端末装置ＴＡのＴＡ看介護記録処理部３２５は、服薬ケア用の記録書式を要求するための通信信号を管理サーバ装置ＳＶへ送信する（図１３のＳ１０９１）。管理サーバ装置ＳＶのＳＶ看介護記録処理部２２４は、服薬ケア用の記録書式の電子ファイルを抽出し（図１３のＳ１０９２）、抽出した電子ファイルを収容した通信信号を携帯端末装置ＴＡに送信する（図１３のＳ１０９３）。携帯端末装置ＴＡのＴＡ看介護記録処理部３２５は、例えば、図１９に示す服薬ケア用記録書式画面６４ｅをＴＡ表示部３６に表示する。
【０１０８】
図１９に示されるように、服薬ケア用記録書式画面６４ｅは、食事ケア用記録書式画面６４ａ（図６）等と同様に、メニューバー領域５１１と、対象者名表示領域６３１と、看介護記録入力領域６４１ｅと、共有化チェックボックス（□）６４２と、「送信して戻る」ボタン６４３と、「送信して終了する」ボタン６４４とを備える。
【０１０９】
服薬ケア用の記録書式における入力項目は、例えば、本実施形態では、前記入力項目として２つの服用時間、メモおよびケア実施時間であり、これらを入力するために、看介護記録入力領域６４１ｅは、１つ目の服用時間を入力するための服用時間１入力領域６４１ｅ−１と、２つ目の服用時間を入力するための服用時間２入力領域６４１ｅ−２と、メモを入力するための自由記述入力領域６４１ｅ−３と、看介護を実施した時刻を入力するためのケア実施時間入力領域６４１ｅ−４とを備える。
【０１１０】
服薬ケア用記録書式画面６４ｅ（図１９）がＴＡ表示部３６に表示された状態で、ＴＡ看介護記録処理部３２５は、監視者（ユーザ）による看介護の内容の入力を受け付ける（図１２のＳ１１１０）。
【０１１１】
看介護の内容の入力が終了して、監視者（ユーザ）によって例えば「送信して終了する」ボタン６４４が入力操作されると（図１２のＳ１１３０でＹＥＳ）、携帯端末装置ＴＡのＴＡ看介護記録処理部３２５は、自機の端末ＩＤ、選択されている対象者名（被監視者名）、入力操作されたのが「送信して終了する」ボタン６４４であること、ならびに、記録書式画面６４を用いて入力された看介護記録の内容（上述の例では服薬ケア用記録書式画面６４ｅを用いて入力された服用時間１，２、メモ、ケア実施時間および共有化の許否）を収容する通信信号（看介護記録通信信号）を、ＴＡ通信ＩＦ部３１により、管理サーバ装置ＳＶへ送信する（図１３のＳ１１２１）。
【０１１２】
図１３のＳ１１２２において、管理サーバ装置ＳＶのＳＶ看介護記録処理部２２４は、ＳＶ通信ＩＦ部２１により、この看介護記録通信信号を受信すると、この受信した看介護記録通信信号に収容された、対象者名（被監視者名）と看介護記録の内容（上述の例では服用時間１，２、メモ、ケア実施時間および共有化の許否）とを互いに対応付けて、看介護記録情報記憶部２３５に記憶する。
【０１１３】
また、入力操作されたのが「送信して終了する」ボタン６４４であるので、図１３のＳ１１２２において、ＳＶ看介護記録処理部２２４は、ボタンに応じた処理として、待受け画面５１を画面情報記憶部２３６から抽出する。ＳＶ看介護記録処理部２２４は、抽出した待受け画面５１を携帯端末装置ＴＡに送信する（図１３のＳ１１２３）。一方、看介護記録の入力が終了して、「送信して終了する」ボタン６４４が入力操作されると（図１２のＳ１１３０でＹＥＳ）、処理は図１１のＳ１０１０に戻る。
【０１１４】
したがって、図１１のＳ１０１０において、ＴＡ看介護記録処理部３２５は、再び、受信した待受け画面５１（図１４）をＴＡ表示部３６に表示する。そして、図１１のＳ１０２０において、携帯端末装置ＴＡは、前記タッチパネルを構成するＴＡ入力部３５から、待受け画面５１（図１４）におけるメニューバー領域５１１のサブメニューボタン５１１１の入力操作を待機する。
【０１１５】
次に、サブメニュー画面６１（図１５）がＴＡ表示部３６に表示された状態で、図１１のＳ１０４０において、タッチパネルを構成するＴＡ入力部３５で「ケア実施入力Ｍｅｎｕ」ボタン６１３ｂの入力操作が受け付けられた場合（Ｓ１０５０で「ケア実施入力Ｍｅｎｕ」）が説明される。この場合、ＴＡ看介護記録処理部３２５は、「ケア実施入力Ｍｅｎｕ」ボタン６１３ｂの入力操作が受け付けられたことを表す通信信号を、ＴＡ通信ＩＦ部３１により、管理サーバ装置ＳＶに送信する（図１３のＳ１０５１）。
【０１１６】
なお、図１１のフローチャートでは、Ｓ１０５０において、入力操作の種類が「ケア実施入力Ｐｅｒｓｏｎ」の場合は処理がＳ１０６０以降に進み、「ケア実施入力Ｍｅｎｕ」の場合は処理がＳ１１６０以降に進む。しかし、図１３のシーケンス図では、Ｓ１０５１以降において、通信信号の内容は互いに異なるが、いずれの場合も、動作シーケンスとしては、同じになる。
【０１１７】
管理サーバ装置ＳＶのＳＶ看介護記録処理部２２４は、上述と同様に、入力操作に応じた第１階層の選択画面を画面情報記憶部２３６から抽出し（図１３のＳ１０５２）、抽出した第１階層の選択画面を携帯端末装置ＴＡに送信する（図１３のＳ１０５３、看介護記録処理工程の一例、第３送信工程の一例）。今回は、「ケア実施入力Ｍｅｎｕ」ボタン６１３ｂの入力操作が受け付けられているので、管理サーバ装置ＳＶのＳＶ看介護記録処理部２２４は、第１階層の選択画面として、例えば図２０に示す書式選択画面８１（第１カテゴリ情報の一例、看介護種類情報の一例）を携帯端末装置ＴＡに送信する。図１１（図１３）のＳ１１６０において、携帯端末装置ＴＡのＴＡ看介護記録処理部３２５は、受信した書式選択画面８１をＴＡ表示部３６に表示する。
【０１１８】
書式選択画面８１は、書式選択画面６３と同様に、看介護の種類に応じて予め用意され選択可能な記録書式（第１入力項目の一例）を表示し、記録書式を選択するための画面である。しかし、第１階層の書式選択画面８１と、第２階層の書式選択画面６３とで、画面の構成が少し異なっている。
【０１１９】
第１階層の書式選択画面８１は、例えば、図２０に示すように、メニューバー領域５１１と、サブメニュー画面６１で選択されたサブメニュー名を表示するサブメニュー名表示領域６２１と、選択可能な１または複数の記録書式をその名称で一覧で表示する書式表示領域６３２（６３２−１〜６３２−４）とを備える。サブメニュー名表示領域６２１には、図２０に示される例では、入力操作を受け付けた「ケア実施入力Ｍｅｎｕ」ボタン６１３ｂに対応するサブメニューのサブメニュー名；「ケア実施入力Ｍｅｎｕ」が表示される。
【０１２０】
また、この記録書式名を表示する個々の領域６３２−１〜６３２−４は、書式選択画面６３（図１７）と同様に、監視者によって選択された記録書式を、当該携帯端末装置ＴＡに入力するためのボタン（書式選択ボタン）でもある。図２０に示す例では、書式表示領域６３２は、食事ケア用の記録書式名として「食事」を表示する「食事」領域６３２−１を備える。また、書式表示領域６３２は、書式選択画面６３（図１７）と同様に、「水分」領域６３２−２と、「排泄」領域６３２−３と、「バイタル」領域６３２−４とを備える。
【０１２１】
そして、前記「食事」領域６３２−１は、食事ケア用の記録書式の選択を、当該携帯端末装置ＴＡに入力するためのボタンであり、前記「水分」領域６３２−２は、水分補給ケア用の記録書式の選択を、当該携帯端末装置ＴＡに入力するためのボタンであり、前記「排泄」領域６３２−３は、排泄ケア用の記録書式の選択を、当該携帯端末装置ＴＡに入力するためのボタンであり、前記「バイタル」領域６３２−４は、バイタルチェック用の記録書式の選択を、当該携帯端末装置ＴＡに入力するためのボタンである。
【０１２２】
書式選択画面８１（図２０）がＴＡ表示部３６に表示された状態で、図１１のＳ１１７０において、例えば書式選択画面８１の「食事」を表示する領域（書式選択ボタン）６３２−１が入力操作されると、携帯端末装置ＴＡのＴＡ看介護記録処理部３２５は、食事ケア用の記録書式が選択されたことを表す通信信号を管理サーバ装置ＳＶへ送信する（図１３のＳ１０７１）。
【０１２３】
ＳＶ看介護記録処理部２２４は、選択された記録書式の種類（ここでは食事ケア用、選択第１入力項目の一例）をＳＶ記憶部２３に記憶し、第２階層の選択画面を画面情報記憶部２３６から抽出する（図１３のＳ１０７２）。今回は、ＳＶ看介護記録処理部２２４は、第２階層の選択画面として、例えば図２１に示す対象者選択画面８２を画面情報記憶部２３６から抽出する。ＳＶ看介護記録処理部２２４は、抽出した対象者選択画面８２（第２カテゴリ情報の一例、被監視者情報の一例）を携帯端末装置ＴＡに送信する（図１３のＳ１０７３、看介護記録処理工程の一例、第４送信工程の一例）。図１２（図１３）のＳ１１８０において、携帯端末装置ＴＡのＴＡ看介護記録処理部３２５は、受信した対象者選択画面８２をＴＡ表示部３６に表示する。
【０１２４】
この対象者選択画面８２は、対象者選択画面６２と同様に、選択可能な対象者（第２入力項目の一例）を表示し、看介護を施した、看介護記録の対象者を選択するための画面である。しかし、第１階層の対象者選択画面６２と、第２階層の対象者選択画面８２とで、画面の構成が少し異なっている。
【０１２５】
第２階層の対象者選択画面８２は、例えば、図２１に示すように、メニューバー領域５１１と、サブメニュー画面６１で選択されたサブメニュー名を表示するサブメニュー名表示領域６２１と、書式表示領域６３２と、選択可能な１または複数の対象者を一覧で表示する対象者表示領域６２２（６２２−１〜６２２−４）とを備える。
【０１２６】
サブメニュー名表示領域６２１には、図２１の例では、入力操作を受け付けた「ケア実施入力Ｍｅｎｕ」ボタン６１３ｂに対応するサブメニューのサブメニュー名；「ケア実施入力Ｍｅｎｕ」が表示される。書式表示領域６３２には、図２１の例では、Ｓ１１７０（図１１）で選択された「食事」領域６３２−１が表示される。
【０１２７】
なお、図１６に示される対象者選択画面６２の対象者表示領域６２２と図２１に示される対象者選択画面８２の対象者表示領域６２２とから分かるように、ＴＡ表示部３６の表示領域より、対象者表示領域６２２が広く、配設場所および被監視者名の各セットが全てＴＡ表示部３６の表示領域に表示できない。そこで、例えばフリック（ｆｌｉｃｋ  ｉｎｐｕｔ）によってＴＡ表示部３６の表示領域に表示される対象者表示領域６２２の領域部分がスクロールされて変更され、ＴＡ表示部３６の表示領域に表示されていない配設場所および被監視者名のセットが表示できるようになっている。そして、対象者選択画面６２と同様に、この配設場所および被監視者名の各セットを表示する個々の領域６２２−１〜６２２−４は、監視者（携帯端末装置ＴＡのユーザ）によって選択された対象者を、当該携帯端末装置ＴＡに入力するためのボタン（対象者選択ボタン）でもある。
【０１２８】
対象者選択画面８２（図２１）がＴＡ表示部３６に表示された状態で、図１２のＳ１１９０において、携帯端末装置ＴＡのＴＡ看介護記録処理部３２５は、前記タッチパネルを構成するＴＡ入力部３５から、配設場所および被監視者名のセットを表示する領域（対象者選択ボタン）６２２の入力操作を受け付けて対象者の選択を受け付ける。すると、ＴＡ看介護記録処理部３２５は、この選択された対象者（被監視者名）を看介護記録の対象者として管理サーバ装置ＳＶに送信する（図１３のＳ１０９１）。本実施形態では、図１２のＳ１１９０において、対象者選択画面８２（図２１）の対象者表示領域６２２−１の「１０１  ＡＡＡＡ」が受け付けられたものとする。
【０１２９】
図１３のＳ１０９２において、管理サーバ装置ＳＶのＳＶ看介護記録処理部２２４は、受信した対象者（選択第２入力項目の一例）をＳＶ記憶部２３に記憶する。ここでは、「１０１  ＡＡＡＡ」がＳＶ記憶部２３に記憶される。また、ＳＶ看介護記録処理部２２４は、Ｓ１０７２（図１３）においてＳＶ記憶部２３に記憶した記録書式の種類（ここでは食事ケア用）に基づき、食事ケア用の記録書式の電子ファイルを書式情報記憶部２３４から抽出する。ＳＶ看介護記録処理部２２４は、抽出した電子ファイルを収容した通信信号を携帯端末装置ＴＡに送信する（図１３のＳ１０９３）。携帯端末装置ＴＡのＴＡ看介護記録処理部３２５は、例えば、図６に示す食事ケア用記録書式画面６４ａをＴＡ表示部３６に表示する。図６の対象者名表示領域６３１には、図１２のＳ１１９０において受け付けられた「１０１  ＡＡＡＡ」が表示されている。
【０１３０】
図１２のＳ１２１０において、Ｓ１１１０と同様に、監視者（ユーザ）は、ＴＡ表示部３６に表示された記録書式画面６４を参照し、この記録書式画面６４の入力項目に応じた看介護の内容を入力すると、ＴＡ看介護記録処理部３２５は、監視者（ユーザ）の入力を受け付ける。
【０１３１】
上述の例では、監視者（ユーザ）は、ＴＡ表示部３６に表示された食事ケア用記録書式画面６４ａを参照し、この食事ケア用記録書式画面６４ａの看介護記録入力領域６４１ａにおける各領域６４１ａ−１〜６４１ａ−４に、食事ケアの内容を入力し、必要に応じて、共有化チェックボックス（□）６４２を入力操作する。
【０１３２】
より詳しくは、本実施形態では、図６に示す食事ケア用記録書式画面６４ａの看介護記録入力領域６４１ａにおける各領域６４１ａ−１〜６４１ａ−４を入力操作（例えばタップ）すると、上述のように、当該領域６４１ａ−１〜６４１ａ−４に入力すべきデータの属性（例えばテキストデータや数値データ等）に応じた、データの入力のためのサブウィンドウが当該食事ケア用記録書式画面６４ａに重ねられて開くようになっている。以下では、サブウィンドウが説明される。
【０１３３】
例えば、主食量入力領域６４１ａ−１や副食量入力領域６４１ａ−２が入力操作されると、例えば図２２に示す食事量選択画面７１が当該食事ケア用記録書式画面６４ａに重ねられてＴＡ表示部３６に表示される。この食事量選択画面７１は、食事の全体量（主食の全体量や副食の全体量）に対する被監視者Ｏｂの摂取割合を、当該携帯端末装置ＴＡに選択入力するための画面である。前記食事量選択画面７１は、例えば図２２に示すように、選択入力可能な互いに異なる複数の摂取割合を表示する摂取割合選択領域７１１と、「戻る」ボタン７１２とを備える。摂取割合選択領域７１１における各摂取割合を表示する各領域それぞれには、前記複数の摂取割合の中から１個の摂取割合を指定して入力するためのラジオボタン（○）が備えられている。図２２に示す例では、０割のラジオボタンがチェックされており、０割が指定されて携帯端末装置ＴＡに入力される。「戻る」ボタン７１２は、このサブウィンドウ（図２２に示す例では食事量選択画面７１）を閉じる指示を入力するためのボタンである。
【０１３４】
また例えば、自由記述入力領域６４１ａ−３が入力操作されると、例えば図２３に示すテキスト入力画面７２が当該食事ケア用記録書式画面６４ａに重ねられてＴＡ表示部３６に表示される。このテキスト入力画面７２は、文字を、当該携帯端末装置ＴＡに入力するための画面である。テキスト入力画面７２は、例えば、図２３に示すように、選択入力可能な互いに異なる複数の文字ボタン等を備える文字入力キーボード画面７２１を備える。
【０１３５】
また例えば、ケア実施時間入力領域６４１ａ−４が入力操作されると、例えば図２４に示す数値入力画面７３が当該食事ケア用記録書式画面６４ａに重ねられてＴＡ表示部３６に表示される。この数値入力画面７３は、数値を、当該携帯端末装置ＴＡに入力するための画面である。数値入力画面７３は、例えば、図２４に示すように、選択入力可能な互いに異なる複数の数値ボタン等を備える数値入力キーボード画面７３１を備える。
【０１３６】
監視者（ユーザ）は、食事量選択画面７１を用いて、前記タッチパネルを構成するＴＡ入力部３５から、主食の摂取量を主食量入力領域６４１ａ−１に入力し、食事量選択画面７１を用いて、前記ＴＡ入力部３５から、副食の摂取量を副食量入力領域６４１ａ−２に入力し、テキスト入力画面７２を用いて、前記ＴＡ入力部３５から、メモを必要に応じて自由記述入力領域６４１ａ−３に入力し、数値入力画面７３を用いて、前記ＴＡ入力部３５から、看介護を実施した時刻をケア実施時間入力領域６４１ａ−４に入力し、必要に応じて、共有化チェックボックス（□）６４２を入力操作する。
【０１３７】
図１２のＳ１２２０は、Ｓ１１２０と同じであり、Ｓ１２３０は、Ｓ１１３０と同じである。Ｓ１２２０でＮＯ、かつＳ１２３０でＮＯであれば、処理はＳ１２１０に戻って、ＴＡ看介護記録処理部３２５は、監視者（ユーザ）による看介護の内容の入力受付を継続する。
【０１３８】
看介護の内容の入力が終了して、監視者（ユーザ）によって例えば「送信して戻る」ボタン６４３が入力操作されると（Ｓ１２２０でＹＥＳ）、携帯端末装置ＴＡのＴＡ看介護記録処理部３２５は、自機の端末ＩＤ、選択されている対象者名（被監視者名）、入力操作されたのが「送信して戻る」ボタン６４３であること、ならびに、記録書式画面６４を用いて入力された看介護記録の内容（上述の例では食事ケア用記録書式画面６４ａを用いて入力された主食量、副食量、メモ、ケア実施時間および共有化の許否）を収容する通信信号（看介護記録通信信号）を、ＴＡ通信ＩＦ部３１により、管理サーバ装置ＳＶへ送信する（図１３のＳ１１２１）。なお、選択されている対象者名（被監視者名）は、既に管理サーバ装置ＳＶに送信され（図１３のＳ１０９１）、ＳＶ記憶部２３に記憶されているので（図１３のＳ１０９２）、上記通信信号に含まれなくてもよい。
【０１３９】
管理サーバ装置ＳＶのＳＶ看介護記録処理部２２４は、ＳＶ通信ＩＦ部２１により、この看介護記録通信信号を受信すると、図１３のＳ１１２２において、この受信した看介護記録通信信号に収容された看介護記録の内容（上述の例では主食量、副食量、メモ、ケア実施時間および共有化の許否）と、選択されている対象者名（被監視者名）とを互いに対応付けて、看介護記録情報記憶部２３５に記憶する。
【０１４０】
また、入力操作されたのが「送信して戻る」ボタン６４３であるので、図１３のＳ１１２２において、ＳＶ看介護記録処理部２２４は、ボタンに応じた処理として、再び、第２階層の選択画面として、例えば図２１に示す対象者選択画面８２を画面情報記憶部２３６から抽出する。ＳＶ看介護記録処理部２２４は、抽出した対象者選択画面８２を携帯端末装置ＴＡに送信する（図１３のＳ１１２３）。一方、図１２において、看介護記録の入力が終了して、「送信して戻る」ボタン６４３が入力操作されると（Ｓ１２２０でＹＥＳ）、処理はＳ１１８０に戻る。
【０１４１】
したがって、図１２のＳ１１８０において、ＴＡ看介護記録処理部３２５は、再び、受信した対象者選択画面８２（図２１）をＴＡ表示部３６に表示する。
【０１４２】
対象者選択画面８２（図２１）がＴＡ表示部３６に表示された状態で、２回目の図１２のＳ１１９０において、例えば、図２１の対象者選択画面８２の「１０２  ＢＢＢＢ」を表示する領域（対象者選択ボタン）６２２−２が監視者（ユーザ）によって入力操作される。すると、ＴＡ看介護記録処理部３２５は、この選択された対象者（被監視者名）を看介護記録の対象者として管理サーバ装置ＳＶに送信する（図１３のＳ１０９１）。
【０１４３】
図１３のＳ１０９２において、管理サーバ装置ＳＶのＳＶ看介護記録処理部２２４は、受信した対象者（被監視者名）をＳＶ記憶部２３に記憶する。ここでは、「１０２  ＢＢＢＢ」がＳＶ記憶部２３に記憶される。また、ＳＶ看介護記録処理部２２４は、Ｓ１０７２（図１３）においてＳＶ記憶部２３に記憶した記録書式の種類、つまり、第１階層の書式選択画面８１（図２０）で選択された記録書式の種類（ここでは食事ケア用）に基づき、食事ケア用の記録書式の電子ファイルを書式情報記憶部２３４から抽出し（図１３のＳ１０９２）、抽出した電子ファイルを収容した通信信号を携帯端末装置ＴＡに送信する（図１３のＳ１０９３）。携帯端末装置ＴＡのＴＡ看介護記録処理部３２５は、例えば、図２５に示す食事ケア用記録書式画面６４ａをＴＡ表示部３６に表示する。図２５の対象者名表示領域６３１には、図１２のＳ１１９０で選択された「１０２  ＢＢＢＢ」が表示されている。
【０１４４】
食事ケア用記録書式画面６４ａ（図２５）がＴＡ表示部３６に表示された状態で、ＴＡ看介護記録処理部３２５は、監視者（ユーザ）による看介護の内容の入力を受け付ける（図１２のＳ１２１０）。
【０１４５】
看介護の内容の入力が終了して、監視者（ユーザ）によって例えば「送信して終了する」ボタン６４４が入力操作されると（図１２のＳ１２３０でＹＥＳ）、携帯端末装置ＴＡのＴＡ看介護記録処理部３２５は、自機の端末ＩＤ、選択されている対象者名（被監視者名）、入力操作されたのが「送信して終了する」ボタン６４４であること、ならびに、記録書式画面６４を用いて入力された看介護記録の内容（上述の例では食事ケア用記録書式画面６４ａを用いて入力された主食量、副食量、メモ、ケア実施時間および共有化の許否）を収容する通信信号（看介護記録通信信号）を、ＴＡ通信ＩＦ部３１により、管理サーバ装置ＳＶへ送信する（図１３のＳ１１２１）。なお、選択されている対象者名（被監視者名）は、既に管理サーバ装置ＳＶに送信され（図１３のＳ１０９１）、ＳＶ記憶部２３に記憶されているので（図１３のＳ１０９２）、上記通信信号に含まれなくてもよい。
【０１４６】
管理サーバ装置ＳＶのＳＶ看介護記録処理部２２４は、ＳＶ通信ＩＦ部２１により、この看介護記録通信信号を受信すると、図１３のＳ１１２２において、この受信した看介護記録通信信号に収容された看介護記録の内容（上述の例では主食量、副食量、メモ、ケア実施時間および共有化の許否）と、選択されている対象者名（被監視者名）とを互いに対応付けて、看介護記録情報記憶部２３５に記憶する。
【０１４７】
また、入力操作されたのが「送信して終了する」ボタン６４４であるので、図１３のＳ１１２２において、ＳＶ看介護記録処理部２２４は、ボタンに応じた処理として、待受け画面５１を画面情報記憶部２３６から抽出する。ＳＶ看介護記録処理部２２４は、抽出した待受け画面５１を携帯端末装置ＴＡに送信する（図１３のＳ１１２３）。一方、看介護記録の入力が終了して、「送信して終了する」ボタン６４４が入力操作されると（図１２のＳ１１３０でＹＥＳ）、処理は図１１のＳ１０１０に戻る。
【０１４８】
したがって、図１１のＳ１０１０において、ＴＡ看介護記録処理部３２５は、再び、受信した待受け画面５１（図１４）をＴＡ表示部３６に表示する。そして、図１１のＳ１０２０において、携帯端末装置ＴＡは、前記タッチパネルを構成するＴＡ入力部３５から、待受け画面５１（図１４）におけるメニューバー領域５１１のサブメニューボタン５１１１の入力操作を待機する。
【０１４９】
（効果）
以上説明されたように、本実施形態における被監視者監視システムＭＳ、中央処理装置の一例としての管理サーバ装置ＳＶ、および、これに実装された中央処理方法では、管理サーバ装置ＳＶの画面情報記憶部２３６に記憶されているサブメニュー画面６１（図１５）は、サブメニューとして、「ケア実施入力Ｐｅｒｓｏｎ」ボタン６１３ａと、「ケア実施入力Ｍｅｎｕ」ボタン６１３ｂと、を備える。
【０１５０】
監視者（ユーザ）は、同一の対象者（被監視者）に対して実施した複数種類の看介護の内容を連続して記録したい場合には、サブメニュー画面６１において、「ケア実施入力Ｐｅｒｓｏｎ」ボタン６１３ａを入力操作すればよい。
【０１５１】
「ケア実施入力Ｐｅｒｓｏｎ」ボタン６１３ａが入力操作されると、ＳＶ看介護記録処理部２２４は、第１階層の対象者選択画面６２（図１６）を携帯端末装置ＴＡに送信する。監視者（ユーザ）が、対象者選択画面６２において対象者を選択すると、ＳＶ看介護記録処理部２２４は、第２階層の書式選択画面６３（図１７）を携帯端末装置ＴＡに送信する。監視者（ユーザ）が、書式選択画面６３において書式を選択すると、ＳＶ看介護記録処理部２２４は、記録書式画面６４（図１８等）を携帯端末装置ＴＡに送信する。
【０１５２】
監視者（ユーザ）は、記録書式画面６４においてケア実施内容の入力が完了すると、「送信して戻る」ボタン６４３を入力操作すればよい。「送信して戻る」ボタン６４３が入力操作されると、ＳＶ看介護記録処理部２２４は、送信された看介護の内容を看介護記録情報記憶部２３５に記憶した後、第２階層の書式選択画面６３（図１７）を、再び、携帯端末装置ＴＡに送信する。
【０１５３】
このように、監視者（ユーザ）は、「送信して戻る」ボタン６４３を入力操作すると、異なる記録書式を次々と選択することができる。したがって、本実施形態によれば、同一の対象者（被監視者）に対して実施した複数種類の看介護の内容を連続して記録する際の作業効率を向上することができる。
【０１５４】
一方、監視者（ユーザ）は、異なる複数の対象者（被監視者）に対して実施した同一種類の看介護の内容を連続して記録したい場合には、サブメニュー画面６１において、「ケア実施入力Ｍｅｎｕ」ボタン６１３ｂを入力操作すればよい。
【０１５５】
「ケア実施入力Ｍｅｎｕ」ボタン６１３ｂが入力操作されると、ＳＶ看介護記録処理部２２４は、第１階層の書式選択画面８１（図２０）を携帯端末装置ＴＡに送信する。監視者（ユーザ）が、書式選択画面８１において書式を選択すると、ＳＶ看介護記録処理部２２４は、第２階層の対象者選択画面８２（図２１）を携帯端末装置ＴＡに送信する。監視者（ユーザ）が、対象者選択画面８２において対象者を選択すると、ＳＶ看介護記録処理部２２４は、記録書式画面６４（図１８等）を携帯端末装置ＴＡに送信する。
【０１５６】
監視者（ユーザ）は、記録書式画面６４においてケア実施内容の入力が完了すると、「送信して戻る」ボタン６４３を入力操作すればよい。「送信して戻る」ボタン６４３が入力操作されると、ＳＶ看介護記録処理部２２４は、送信された看介護の内容を看介護記録情報記憶部２３５に記憶した後、第２階層の対象者選択画面８２（図２１）を、再び、携帯端末装置ＴＡに送信する。
【０１５７】
このように、監視者（ユーザ）は、「送信して戻る」ボタン６４３を入力操作すると、異なる対象者を次々と選択することができる。したがって、本実施形態によれば、異なる複数の対象者（被監視者）に対して実施した同一種類の看介護の内容を連続して記録する際の作業効率を向上することができる。
【０１５８】
その結果、本実施形態によれば、看介護の記録作業の効率を向上することができる。
【０１５９】
（変形された実施形態）
（１）上記実施形態において、携帯端末装置ＴＡに表示されるサブメニュー画面は、図１５に示されるものに限られず、図２６に示されるものでもよい。
【０１６０】
図２６は、図１５と異なるサブメニュー画面の一例を示す図である。図２６のサブメニュー画面６１ａ（選択情報の一例）は、図１５のサブメニュー画面６１と同様に、サブメニューとして、「情報」ボタン６１１と、「スタッフ伝言板」ボタン６１２と、「ケア実施入力Ｐｅｒｓｏｎ」ボタン６１３ａと、「ケア実施入力Ｍｅｎｕ」ボタン６１３ｂと、「ログアウト」ボタン６１４とを備える。
【０１６１】
図２６のサブメニュー画面６１ａは、図１５のサブメニュー画面６１と異なり、「ケア実施入力Ｍｅｎｕ」ボタン６１３ｂと「ログアウト」ボタン６１４との間に、さらに、書式選択領域６１３ｃを備える。書式選択領域６１３ｃは、図２６に示される例では、食事ケア用の記録書式名として「食事」を表示する「食事」領域６１３ｃ−１と、水分補給ケア用の記録書式名として「水分」を表示する「水分」領域６１３ｃ−２と、排泄ケア用の記録書式名として「排泄」を表示する「排泄」領域６１３ｃ−３と、を含む。
【０１６２】
そして、前記「食事」領域６１３ｃ−１は、食事ケア用の記録書式の選択を、当該携帯端末装置ＴＡに入力するためのボタンであり、前記「水分」領域６１３ｃ−２は、水分補給ケア用の記録書式の選択を、当該携帯端末装置ＴＡに入力するためのボタンであり、前記「排泄」領域６１３ｃ−３は、排泄ケア用の記録書式の選択を、当該携帯端末装置ＴＡに入力するためのボタンである。
【０１６３】
なお、図２６のサブメニュー画面６１ａは、例えばフリック（ｆｌｉｃｋ  ｉｎｐｕｔ）によってＴＡ表示部３６の表示領域に表示される書式選択領域６１３ｃの領域部分がスクロールされて変更され、ＴＡ表示部３６の表示領域に表示されていない記録書式名が表示できるように構成されている。
【０１６４】
図２６のサブメニュー画面６１ａでは、監視者（ユーザ）は、「食事」領域６１３ｃ−１、又は「水分」領域６１３ｃ−２、又は「排泄」領域６１３ｃ−３、又は書式選択領域６１３ｃをスクロールすることによって図示されていない他の領域（例えば１７に示される「バイタル」、「服薬」など）を、直接、選択することができる。すなわち、図２６のサブメニュー画面６１ａは、第１階層の書式選択画面８１（図２０）を兼ねる。
【０１６５】
したがって、図２６のサブメニュー画面６１ａにおいて、監視者（ユーザ）が、「食事」領域６１３ｃ−１、又は「水分」領域６１３ｃ−２、又は「排泄」領域６１３ｃ−３、又は「バイタル」領域、又は「服薬」領域を選択すると、図１１のＳ１１７０が実行されることになり、図１１のＳ１１６０（図２０に示される第１階層の書式選択画面８１のＴＡ表示部３６への表示）が省略される。すなわち、ＴＡ表示部３６に表示される画面は、サブメニュー画面６１ａから、直接、第２階層の対象者選択画面８２（図２１）に移る。
【０１６６】
このように、監視者（ユーザ）は、「ケア実施入力Ｍｅｎｕ」ボタン６１３ｂを入力操作しなくてよい。したがって、図２６のサブメニュー画面６１ａによれば、異なる複数の対象者（被監視者）に対して実施した同一種類の看介護の内容を連続して記録する際の作業効率をさらに向上することができる。
【０１６７】
なお、図２６のサブメニュー画面６１ａは、書式選択領域６１３ｃの領域部分がスクロールされないような簡易な構成でもよい。この場合、図２６に示されるように、書式選択領域６１３ｃは、「食事」領域６１３ｃ−１と、「水分」領域６１３ｃ−２と、「排泄」領域６１３ｃ−３とを含んでいればよい。
【０１６８】
食事ケア、水分補給ケア及び排泄ケアは、頻繁に実施される。したがって、この場合でも、上記実施形態に比べて、異なる複数の対象者（被監視者）に対して実施した同一種類の看介護の内容を連続して記録する際の作業効率をさらに向上することができる。
【０１６９】
（２）上記実施形態において、ＳＶ看介護記録処理部２２４は、対象者選択画面６２（図１６）、対象者選択画面８２（図２１）、書式選択画面６３（図１７）、書式選択画面８１（図２０）を携帯端末装置ＴＡに送信しているが、これに限られない。ＳＶ看介護記録処理部２２４は、選択画面に代えて、選択画面を構成するのに必要な情報のみを携帯端末装置ＴＡに送信してもよい。
【０１７０】
例えば、ＳＶ看介護記録処理部２２４は、ＳＶセンサ情報記憶部２３３に記憶されたＳＶセンサ情報テーブルＳＴ−ＳＶにおける被監視者名フィールド２３３３および配設場所フィールド２３３２（図５）に登録されている被監視者名および配設場所を各レコードから取り出して、配設場所および被監視者名をセット（組）で、携帯端末装置ＴＡに送信してもよい。携帯端末装置ＴＡのＴＡ看介護記録処理部３２５は、送信された情報から、例えば図１６に示す対象者選択画面６２を作成してもよい。
【０１７１】
（３）上記実施形態において、ＴＡ看介護記録処理部３２５は、対象者選択画面６２（図１６）において、選択可能な対象者を一覧で表示するために、ＴＡセンサ情報記憶部３３２に記憶されたＴＡセンサ情報テーブルＳＴ−ＴＡにおける被監視者名フィールド３３２３および配設場所フィールド３３２２に登録されている被監視者名および配設場所を各レコードから取り出して、配設場所および被監視者名をセット（組）で、対象者表示領域６２２に、ＴＡ表示部３６を正面視した場合に上から下へ順に所定の基準でソートして一覧表示で表示してもよい。ソートの基準は、任意であり、例えば、被監視者名の５０音順（アルファベット順）や、配設場所の部屋番号順等である。図１６に示す例では、配設場所および被監視者名の各セットは、配設場所の部屋番号順でソートされている。
【０１７２】
本明細書は、上記のように様々な態様の技術を開示しているが、そのうち主な技術を以下に纏める。
【０１７３】
本発明の一態様は、
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
通信を行う通信部と、
前記被監視者に対して行われる看護および介護のうちの少なくとも一方を含む看介護の内容を看介護記録として記憶する看介護記録情報記憶部と、
前記看介護記録を入力するための、第１カテゴリに関する複数の第１入力項目を表す第１カテゴリ情報と、前記看介護記録を入力するための、第２カテゴリに関する複数の第２入力項目を表す第２カテゴリ情報と、を記憶するカテゴリ情報記憶部と、
前記端末装置から送信された、前記看介護記録を入力する際に前記第１カテゴリ情報及び前記第２カテゴリ情報のうち優先するカテゴリ情報を表す優先カテゴリ情報を前記通信部で受信すると、前記第１カテゴリ情報及び前記第２カテゴリ情報のうち前記優先カテゴリ情報により表されるカテゴリ情報を前記通信部により前記端末装置に送信する看介護記録処理部と、
を備え、
前記看介護記録処理部は、
前記優先カテゴリ情報が前記第１カテゴリ情報を表す場合は、第１階層として、前記第１カテゴリ情報を前記端末装置に送信し、前記端末装置から送信された、前記第１カテゴリ情報により表される前記複数の第１入力項目から選択された選択第１入力項目を前記通信部で受信すると、第２階層として、前記第２カテゴリ情報を前記端末装置に送信し、
前記優先カテゴリ情報が前記第２カテゴリ情報を表す場合は、第１階層として、前記第２カテゴリ情報を前記端末装置に送信し、前記端末装置から送信された、前記第２カテゴリ情報により表される前記複数の第２入力項目から選択された選択第２入力項目を前記通信部で受信すると、第２階層として、前記第１カテゴリ情報を前記端末装置に送信するものである。
【０１７４】
本態様では、端末装置から送信された、看介護記録を入力する際に第１カテゴリ情報及び第２カテゴリ情報のうち優先するカテゴリ情報を表す優先カテゴリ情報を通信部で受信すると、看介護記録処理部によって、第１カテゴリ情報及び第２カテゴリ情報のうち優先カテゴリ情報により表されるカテゴリ情報が、通信部により端末装置に送信される。
【０１７５】
優先カテゴリ情報が第１カテゴリ情報を表す場合は、看介護記録処理部によって、第１階層として、第１カテゴリ情報が端末装置に送信される。端末装置から送信された、第１カテゴリ情報により表される複数の第１入力項目から選択された選択第１入力項目を通信部で受信すると、看介護記録処理部によって、第２階層として、第２カテゴリ情報が端末装置に送信される。
【０１７６】
一方、優先カテゴリ情報が第２カテゴリ情報を表す場合は、看介護記録処理部によって、第１階層として、第２カテゴリ情報が端末装置に送信される。端末装置から送信された、第２カテゴリ情報により表される複数の第２入力項目から選択された選択第２入力項目を通信部で受信すると、看介護記録処理部によって、第２階層として、第１カテゴリ情報が端末装置に送信される。
【０１７７】
したがって、看介護記録を入力する際に優先するカテゴリ情報が逆になると、第１階層として送信されるカテゴリ情報と、第２階層として送信されるカテゴリ情報との順番が、逆になる。これによって、優先するカテゴリ情報に適切な順番で、カテゴリ情報を端末装置に送信することができる。
【０１７８】
上記一態様において、例えば、前記看介護記録処理部は、前記第２階層として、前記第２カテゴリ情報を前記端末装置に送信した場合に、前記端末装置から送信された、前記第２カテゴリ情報により表される前記複数の第２入力項目から選択された選択第２入力項目を前記通信部で受信すると、再び、前記第２カテゴリ情報を前記端末装置に送信してもよい。前記看介護記録処理部は、前記第２階層として、前記第１カテゴリ情報を前記端末装置に送信した場合に、前記端末装置から送信された、前記第１カテゴリ情報により表される前記複数の第１入力項目から選択された選択第１入力項目を前記通信部で受信すると、再び、前記第１カテゴリ情報を前記端末装置に送信してもよい。
【０１７９】
本態様では、第２階層として、第２カテゴリ情報を端末装置に送信した場合に、端末装置から送信された、第２カテゴリ情報により表される複数の第２入力項目から選択された選択第２入力項目を通信部で受信すると、再び、第２カテゴリ情報が端末装置に送信される。したがって、端末装置のユーザは、選択第２入力項目以外の他の第２入力項目を選択することができる。
【０１８０】
また、本態様では、第２階層として、第１カテゴリ情報を端末装置に送信した場合に、端末装置から送信された、第１カテゴリ情報により表される複数の第１入力項目から選択された選択第１入力項目を通信部で受信すると、再び、第１カテゴリ情報が端末装置に送信される。したがって、端末装置のユーザは、選択第１入力項目以外の他の第１入力項目を選択することができる。
【０１８１】
これによって、本態様によれば、端末装置のユーザは、第１階層に戻ることなく、第２階層のカテゴリ情報により表される入力項目を順次選択することができる。その結果、看介護記録の入力の効率を向上することができる。
【０１８２】
上記一態様において、例えば、
前記第１カテゴリ情報と前記第２カテゴリ情報とは、それぞれ、送信して戻るボタンを表す情報と、送信して終了するボタンを表す情報とを含み、
前記看介護記録処理部は、
前記第２階層として、前記第２カテゴリ情報を前記端末装置に送信した場合に、前記端末装置から送信された、前記選択第２入力項目とともに前記送信して戻るボタンが操作された旨を前記通信部で受信すると、再び、前記第２カテゴリ情報を前記端末装置に送信し、前記端末装置から送信された、前記選択第２入力項目とともに前記送信して終了するボタンが操作された旨を前記通信部で受信すると、前記第２カテゴリ情報の前記端末装置への送信を終了し、
前記第２階層として、前記第１カテゴリ情報を前記端末装置に送信した場合に、前記端末装置から送信された、前記選択第１入力項目とともに前記送信して戻るボタンが操作された旨を前記通信部で受信すると、再び、前記第１カテゴリ情報を前記端末装置に送信し、前記端末装置から送信された、前記選択第１入力項目とともに前記送信して終了するボタンが操作された旨を前記通信部で受信すると、前記第１カテゴリ情報の前記端末装置への送信を終了してもよい。
【０１８３】
上記一態様において、例えば、
前記看介護記録処理部は、
前記第２階層として、前記第２カテゴリ情報を前記端末装置に送信した場合に、前記端末装置から送信された、前記選択第２入力項目として前記複数の第２入力項目の全てを前記通信部で受信すると、前記第２カテゴリ情報の前記端末装置への送信を終了し、
前記第２階層として、前記第１カテゴリ情報を前記端末装置に送信した場合に、前記端末装置から送信された、前記選択第１入力項目として前記複数の第１入力項目の全てを前記通信部で受信すると、前記第１カテゴリ情報の前記端末装置への送信を終了してもよい。
【０１８４】
上記一態様において、例えば、前記カテゴリ情報記憶部は、前記第１カテゴリに関する複数の第１入力項目を表す第１カテゴリ情報として、前記看介護に関する複数の看介護の種類を表す看介護種類情報を記憶してもよい。前記カテゴリ情報記憶部は、前記第２カテゴリに関する複数の第２入力項目を表す第２カテゴリ情報として、前記被監視者に関する複数の被監視者の名前を表す被監視者情報を記憶してもよい。
【０１８５】
上記一態様において、例えば、前記看介護記録処理部は、前記優先するカテゴリ情報を選択するための、前記看介護種類情報と前記被監視者情報との選択肢を表す選択肢情報を、前記優先カテゴリ情報を前記通信部で受信する前に、前記通信部により前記端末装置に送信してもよい。
【０１８６】
本態様では、優先するカテゴリ情報を選択するための、看介護種類情報と被監視者情報との選択肢を表す選択肢情報が、優先カテゴリ情報を通信部で受信する前に、通信部により端末装置に送信される。したがって、端末装置のユーザは、送信された選択肢情報を用いて、看介護種類情報と被監視者情報とのうちで、優先するカテゴリ情報を選択することができる。
【０１８７】
上記一態様において、例えば、前記選択肢情報は、前記看介護種類情報を含んでもよい。
【０１８８】
本態様では、選択肢情報は、看介護種類情報を含むため、端末装置のユーザは、選択肢情報を用いて優先するカテゴリ情報を選択する際に、看介護種類情報により表される複数の看介護の種類から所望の看介護の種類を選択することも可能になる。
【０１８９】
本発明の他の態様は、
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置に用いられる中央処理方法であって、
前記中央処理装置は、
通信を行う通信部と、
前記被監視者に対して行われる看護および介護のうちの少なくとも一方を含む看介護の内容を看介護記録として記憶する看介護記録情報記憶部と、
前記看介護記録を入力するための、第１カテゴリに関する複数の第１入力項目を表す第１カテゴリ情報と、前記看介護記録を入力するための、第２カテゴリに関する複数の第２入力項目を表す第２カテゴリ情報と、を記憶するカテゴリ情報記憶部と、
を備え、
前記中央処理方法は、
前記端末装置から送信された、前記看介護記録を入力する際に前記第１カテゴリ情報及び前記第２カテゴリ情報のうち優先するカテゴリ情報を表す優先カテゴリ情報を前記通信部で受信すると、前記第１カテゴリ情報及び前記第２カテゴリ情報のうち前記優先カテゴリ情報により表されるカテゴリ情報を前記通信部により前記端末装置に送信する看介護記録処理工程を備え、
前記看介護記録処理工程は、
前記優先カテゴリ情報が前記第１カテゴリ情報を表す場合は、第１階層として、前記第１カテゴリ情報を前記端末装置に送信する第１送信工程と、前記端末装置から送信された、前記第１カテゴリ情報により表される前記複数の第１入力項目から選択された選択第１入力項目を前記通信部で受信すると、第２階層として、前記第２カテゴリ情報を前記端末装置に送信する第２送信工程と、を含み、
前記優先カテゴリ情報が前記第２カテゴリ情報を表す場合は、第１階層として、前記第２カテゴリ情報を前記端末装置に送信する第３送信工程と、前記端末装置から送信された、前記第２カテゴリ情報により表される前記複数の第２入力項目から選択された選択第２入力項目を前記通信部で受信すると、第２階層として、前記第１カテゴリ情報を前記端末装置に送信する第４送信工程と、を含むものである。
【０１９０】
本態様では、端末装置から送信された、看介護記録を入力する際に第１カテゴリ情報及び第２カテゴリ情報のうち優先するカテゴリ情報を表す優先カテゴリ情報を通信部で受信すると、看介護記録処理工程において、第１カテゴリ情報及び第２カテゴリ情報のうち優先カテゴリ情報により表されるカテゴリ情報が、通信部により端末装置に送信される。
【０１９１】
優先カテゴリ情報が第１カテゴリ情報を表す場合は、第１送信工程において、第１階層として、第１カテゴリ情報が端末装置に送信される。端末装置から送信された、第１カテゴリ情報により表される複数の第１入力項目から選択された選択第１入力項目を通信部で受信すると、第２送信工程において、第２階層として、第２カテゴリ情報が端末装置に送信される。
【０１９２】
一方、優先カテゴリ情報が第２カテゴリ情報を表す場合は、第３送信工程において、第１階層として、第２カテゴリ情報が端末装置に送信される。端末装置から送信された、第２カテゴリ情報により表される複数の第２入力項目から選択された選択第２入力項目を通信部で受信すると、第４送信工程において、第２階層として、第１カテゴリ情報が端末装置に送信される。
【０１９３】
したがって、看介護記録を入力する際に優先するカテゴリ情報が逆になると、第１階層として送信されるカテゴリ情報と、第２階層として送信されるカテゴリ情報との順番が、逆になる。これによって、優先するカテゴリ情報に適切な順番で、カテゴリ情報を端末装置に送信することができる。
【０１９４】
本発明の更に他の態様は、
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、上記一態様の中央処理装置である。
【０１９５】
本態様では、上述の中央処理装置を備えるので、優先するカテゴリ情報に適切な順番で、カテゴリ情報を端末装置に送信することができる。
【０１９６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【０１９７】
本発明の実施形態が詳細に図示され、かつ、説明されたが、それは単なる図例及び実例であって限定ではない。本発明の範囲は、添付されたクレームの文言によって解釈されるべきである。
【０１９８】
明細書、クレーム、図面、及び要約を含む、２０１６年８月２３日に提出された日本国特許出願番号２０１６−１６２７２７、その全体の開示は、その全体において参照によりここに組み込まれる。
【図１】
2018037974.tif 000003
【図２】
2018037974.tif 000004
【図３】
2018037974.tif 000005
【図４】
2018037974.tif 000006
【図５】
2018037974.tif 000007
【図６】
2018037974.tif 000008
【図７】
2018037974.tif 000009
【図８】
2018037974.tif 000010
【図９】
2018037974.tif 000011
【図１０】
2018037974.tif 000012
【図１１】
2018037974.tif 000013
【図１２】
2018037974.tif 000014
【図１３】
2018037974.tif 000015
【図１４】
2018037974.tif 000016
【図１５】
2018037974.tif 000017
【図１６】
2018037974.tif 000018
【図１７】
2018037974.tif 000019
【図１８】
2018037974.tif 000020
【図１９】
2018037974.tif 000021
【図２０】
2018037974.tif 000022
【図２１】
2018037974.tif 000023
【図２２】
2018037974.tif 000024
【図２３】
2018037974.tif 000025
【図２４】
2018037974.tif 000026
【図２５】
2018037974.tif 000027
【図２６】
2018037974.tif 000028
【国際調査報告】
2018037974.tif 000029
2018037974.tif 000030
2018037974.tif 000031
2018037974.tif 000032